(57)【要約】  本発明の実施形態は、チャネル送信方法およびネットワークデバイスを開示する。本方法は、第1のネットワークデバイスによって、少なくとも2つのダウンリンク制御チャネルの探索空間を判定するステップと、第1のネットワークデバイスによって、探索空間において、少なくとも2つのダウンリンク制御チャネルにより占有されるリソースを別々に判定するステップであって、少なくとも2つのダウンリンク制御チャネルによりスケジューリングされるリソースが1つのキャリアに属する、ステップと、第1のネットワークデバイスによって、リソースを使用することにより少なくとも2つのダウンリンク制御チャネルを取得するステップと、を含む。本発明の実施形態により、1つのキャリア上のデータが複数のダウンリンク制御チャネルを介してスケジューリングされ、それにより情報送信効率および信頼性が改善され得る。
2020511904.tif 000002
【特許請求の範囲】
【請求項１】
第1のネットワークデバイスによって、少なくとも2つのダウンリンク制御チャネルの探索空間を判定するステップと、
前記第1のネットワークデバイスによって、前記探索空間において、前記少なくとも2つのダウンリンク制御チャネルにより占有されるリソースを別々に判定するステップであって、前記少なくとも2つのダウンリンク制御チャネルによりスケジューリングされるリソースが1つのキャリアに属する、ステップと、
前記第1のネットワークデバイスによって、前記リソースを使用することにより前記少なくとも2つのダウンリンク制御チャネルを取得するステップと、
を含む、チャネル送信方法。
【請求項２】
前記少なくとも2つのダウンリンク制御チャネルの前記探索空間が同じであり、第1のネットワークデバイスによって、少なくとも2つのダウンリンク制御チャネルの探索空間を判定する前記ステップが、
前記第1のネットワークデバイスによって、第1のパラメータに基づいて前記少なくとも2つのダウンリンク制御チャネルの前記探索空間を判定するステップであって、前記第1のパラメータが、制御チャネル要素CCEの数、第1の時間要素の識別子、およびダウンリンク制御チャネルの候補位置のうちの少なくとも1つを含み、
前記少なくとも2つのダウンリンク制御チャネルの前記探索空間のCCEの数が同じである、または
前記少なくとも2つのダウンリンク制御チャネルの第1の時間要素の識別子が、前記少なくとも2つのダウンリンク制御チャネルにより占有される前記リソースのサブキャリア間隔に基づいて判定される、または
前記少なくとも2つのダウンリンク制御チャネルの第1の時間要素の識別子が、事前設定されたサブキャリア間隔に対応する時間要素のうち、前記少なくとも2つのダウンリンク制御チャネルの前記第1の時間要素に対応する時間要素の識別子に基づいて判定される、または
前記少なくとも2つのダウンリンク制御チャネルの候補位置が異なり、前記少なくとも2つのダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、ステップを含む、請求項1に記載の方法。
【請求項３】
前記少なくとも2つのダウンリンク制御チャネルの前記探索空間が異なり、第1のネットワークデバイスによって、少なくとも2つのダウンリンク制御チャネルの探索空間を判定する前記ステップが、
前記第1のネットワークデバイスによって、前記少なくとも2つのダウンリンク制御チャネルの前記探索空間により占有されるリソースを別々に判定するステップであって、前記少なくとも2つのダウンリンク制御チャネルの前記探索空間により占有される前記リソースが異なり、前記リソースが周波数領域リソースまたは時間領域リソースを含む、ステップと、
前記第1のネットワークデバイスによって、前記リソースに基づいて前記少なくとも2つのダウンリンク制御チャネルの前記探索空間を別々に判定するステップと、を含む、請求項1に記載の方法。
【請求項４】
前記第1のネットワークデバイスによって、前記少なくとも2つのダウンリンク制御チャネルの前記探索空間により占有されるリソースを別々に判定する前記ステップが、
前記第1のネットワークデバイスによって、第1のリソース構成情報を判定し、前記第1のリソース構成情報に基づいて、前記少なくとも2つのダウンリンク制御チャネルの前記探索空間により占有される前記リソースを判定するステップであって、
前記第1のリソース構成情報が、前記少なくとも2つのダウンリンク制御チャネルの前記探索空間が配置される制御リソースセットにより占有されるリソースに関する情報を含み、前記少なくとも2つのダウンリンク制御チャネルに対応する前記探索空間の数が、制御リソースセットの数と同じである、ステップを含む、請求項3に記載の方法。
【請求項５】
前記第1のネットワークデバイスによって、前記少なくとも2つのダウンリンク制御チャネルの前記探索空間により占有されるリソースを別々に判定する前記ステップが、
前記第1のネットワークデバイスによって、第2のリソース構成情報を判定し、前記第2のリソース構成情報に基づいて、前記少なくとも2つのダウンリンク制御チャネルの前記探索空間により占有される前記リソースを判定するステップであって、
前記第2のリソース構成情報が、前記少なくとも2つのダウンリンク制御チャネルの前記探索空間が配置される少なくとも2つの制御リソースセットにより占有されるリソースに関する情報、前記少なくとも2つの制御リソースセットの識別子、および第1のオフセット値のうちの少なくとも1つを含み、前記第1のオフセット値が、前記少なくとも2つの制御リソースセットの前記識別子に基づいて判定され、前記少なくとも2つの制御リソースセットにより占有される前記リソースが重なる、ステップを含む、請求項3に記載の方法。
【請求項６】
前記第1のネットワークデバイスによって、前記少なくとも2つのダウンリンク制御チャネルの前記探索空間により占有されるリソースを別々に判定する前記ステップが、
前記第1のネットワークデバイスによって、第3のリソース構成情報を判定し、前記第3のリソース構成情報に基づいて、前記少なくとも2つのダウンリンク制御チャネルの前記探索空間により占有される前記リソースを判定するステップであって、
前記第3のリソース構成情報が、前記少なくとも2つのダウンリンク制御チャネルの前記探索空間が配置される制御リソースセットにより占有されるリソースに関する情報、前記少なくとも2つのダウンリンク制御チャネルの前記探索空間の識別子、および第2のオフセット値のうちの少なくとも1つを含み、前記第2のオフセット値が、前記少なくとも2つのダウンリンク制御チャネルの前記探索空間の前記識別子に基づいて判定され、前記少なくとも2つのダウンリンク制御チャネルに対応する前記探索空間が配置される前記制御リソースセットが同じである、ステップを含む、請求項3に記載の方法。
【請求項７】
前記リソースが時間領域リソースを含み、前記方法が、
前記第1のネットワークデバイスによって、少なくとも1つの第2のネットワークデバイスによって送信された通知メッセージを受信するステップであって、前記通知メッセージが、前記少なくとも2つのダウンリンク制御チャネルの前記探索空間により占有される第2の時間要素の識別子を含む、ステップをさらに含む、請求項3に記載の方法。
【請求項８】
第1のネットワークデバイスによって、第1の探索空間において、第1のダウンリンク制御チャネルにより占有される第1のリソースを判定するステップと、
第2のネットワークデバイスによって、第2の探索空間において、第2のダウンリンク制御チャネルにより占有される第2のリソースを判定するステップであって、前記第1のダウンリンク制御チャネルによりスケジューリングされるリソースと前記第2のダウンリンク制御チャネルによりスケジューリングされるリソースとが1つのキャリアに属する、ステップと、
前記第1のネットワークデバイスによって、前記第1のリソースを使用することにより前記第1のダウンリンク制御チャネルを第3のネットワークデバイスに送信するステップと、
前記第2のネットワークデバイスによって、前記第2のリソースを使用することにより前記第2のダウンリンク制御チャネルを前記第3のネットワークデバイスに送信するステップと、
を含む、チャネル送信方法。
【請求項９】
前記第1の探索空間が前記第2の探索空間と同じであり、前記方法が、
前記第1のネットワークデバイスまたは前記第2のネットワークデバイスによって、第1のパラメータに基づいて前記第1の探索空間を判定するステップであって、
前記第1のパラメータが、制御チャネル要素CCEの数、第1の時間要素の識別子、およびダウンリンク制御チャネルの候補位置のうちの少なくとも1つを含み、
前記第1のネットワークデバイスに対応する前記第1のパラメータに含まれるCCEの数が、前記第2のネットワークデバイスに対応する前記第1のパラメータに含まれるCCEの数と同じである、または
前記第1のダウンリンク制御チャネルの第1の時間要素の識別子もしくは前記第2のダウンリンク制御チャネルの第1の時間要素の識別子が、前記第1のリソースのサブキャリア間隔および前記第2のリソースのサブキャリア間隔に基づいて判定される、または
前記第1のダウンリンク制御チャネルの第1の時間要素の識別子が、事前設定されたサブキャリア間隔に対応する時間要素のうち、前記第1のダウンリンク制御チャネルの前記第1の時間要素に対応する時間要素の識別子に基づいて判定され、前記第2のダウンリンク制御チャネルの第1の時間要素の識別子が、前記事前設定されたサブキャリア間隔に対応する前記時間要素のうち、前記第2のダウンリンク制御チャネルの前記第1の時間要素に対応する時間要素の識別子に基づいて判定される、または
前記第1のダウンリンク制御チャネルの候補位置が、前記第2のダウンリンク制御チャネルの候補位置とは異なり、前記第1のダウンリンク制御チャネルの前記候補位置もしくは前記第2のダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、ステップをさらに含む、請求項8に記載の方法。
【請求項１０】
前記第1の探索空間が前記第2の探索空間とは異なり、前記方法が、
前記第1のネットワークデバイスによって、前記第1の探索空間により占有される第3のリソースを判定するステップであって、前記第3のリソースが、周波数領域リソースまたは時間領域リソースを含む、ステップと、
前記第1のネットワークデバイスによって、前記第3のリソースに基づいて前記第1の探索空間を判定するステップと、をさらに含む、請求項8に記載の方法。
【請求項１１】
前記第1のネットワークデバイスによって、前記第3のリソースに基づいて前記第1の探索空間を判定する前記ステップが、
前記第1のネットワークデバイスによって、第1のリソース構成情報を判定し、前記第1のリソース構成情報に基づいて前記第1の探索空間を判定するステップであって、前記第1のリソース構成情報が、前記第1の探索空間が配置される制御リソースセットにより占有されるリソースに関する情報を含む、ステップを含む、請求項10に記載の方法。
【請求項１２】
前記第1のネットワークデバイスによって、前記第3のリソースに基づいて前記第1の探索空間を判定する前記ステップが、
前記第1のネットワークデバイスによって、第2のリソース構成情報を判定し、前記第2のリソース構成情報に基づいて前記第1の探索空間を判定するステップであって、前記第2のリソース構成情報が、前記第1の探索空間が配置される制御リソースセットにより占有されるリソースに関する情報、前記制御リソースセットの識別子、および第1のオフセット値のうちの少なくとも1つを含み、前記第1のオフセット値が、前記制御リソースセットの前記識別子に基づいて判定される、ステップを含む、請求項10に記載の方法。
【請求項１３】
前記第1のネットワークデバイスによって、前記第3のリソースに基づいて前記第1の探索空間を判定する前記ステップが、
前記第1のネットワークデバイスによって、第3のリソース構成情報を判定し、前記第3のリソース構成情報に基づいて前記第1の探索空間を判定するステップであって、前記第3のリソース構成情報が、前記第1の探索空間が配置される制御リソースセットにより占有されるリソースに関する情報、前記第1の探索空間の識別子、および第2のオフセット値のうちの少なくとも1つを含み、前記第2のオフセット値が、前記第1の探索空間の前記識別子に基づいて判定される、ステップを含む、請求項10に記載の方法。
【請求項１４】
前記第3のリソースが時間領域リソースを含み、前記方法が、
前記第1のネットワークデバイスによって、前記第3のネットワークデバイスに通知メッセージを送信するステップであって、前記通知メッセージが、前記第1の探索空間により占有される第2の時間要素の識別子を含む、ステップをさらに含む、請求項10に記載の方法。
【請求項１５】
前記方法が、
前記第1のネットワークデバイスによって、第3のパラメータに基づいて前記第1の探索空間を判定するステップであって、前記第1の探索空間が少なくとも1つの制御チャネル要素CCEを含み、前記第3のパラメータがCCEの数またはCCE識別子を含む、ステップをさらに含む、請求項8に記載の方法。
【請求項１６】
少なくとも2つのダウンリンク制御チャネルの探索空間を判定するように構成される判定モジュールであって、
前記判定モジュールが、前記探索空間において、前記少なくとも2つのダウンリンク制御チャネルにより占有されるリソースを別々に判定し、前記少なくとも2つのダウンリンク制御チャネルによりスケジューリングされるリソースが1つのキャリアに属する、ようにさらに構成される、判定モジュールと、
前記リソースを使用することにより前記少なくとも2つのダウンリンク制御チャネルを取得するように構成される通信モジュールと、
を備える、ネットワークデバイス。
【請求項１７】
前記少なくとも2つのダウンリンク制御チャネルの前記探索空間が同じであり、前記少なくとも2つのダウンリンク制御チャネルの前記探索空間を判定するときに、前記判定モジュールが、
第1のパラメータに基づいて前記少なくとも2つのダウンリンク制御チャネルの前記探索空間を判定し、前記第1のパラメータが、制御チャネル要素CCEの数、第1の時間要素の識別子、およびダウンリンク制御チャネルの候補位置のうちの少なくとも1つを含み、
前記少なくとも2つのダウンリンク制御チャネルの前記探索空間のCCEの数が同じである、または
前記少なくとも2つのダウンリンク制御チャネルの第1の時間要素の識別子が、前記少なくとも2つのダウンリンク制御チャネルにより占有される前記リソースのサブキャリア間隔に基づいて判定される、または
前記少なくとも2つのダウンリンク制御チャネルの第1の時間要素の識別子が、事前設定されたサブキャリア間隔に対応する時間要素のうち、前記少なくとも2つのダウンリンク制御チャネルの前記第1の時間要素に対応する時間要素の識別子に基づいて判定される、または
前記少なくとも2つのダウンリンク制御チャネルの候補位置が異なり、前記少なくとも2つのダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、ように特に構成される、請求項16に記載のネットワークデバイス。
【請求項１８】
前記少なくとも2つのダウンリンク制御チャネルの前記探索空間が異なり、前記少なくとも2つのダウンリンク制御チャネルの前記探索空間を判定するときに、前記判定モジュールが、
前記少なくとも2つのダウンリンク制御チャネルの前記探索空間により占有されるリソースを別々に判定し、前記少なくとも2つのダウンリンク制御チャネルの前記探索空間により占有される前記リソースが異なり、前記リソースが周波数領域リソースまたは時間領域リソースを含み、
前記リソースに基づいて前記少なくとも2つのダウンリンク制御チャネルの前記探索空間を別々に判定する、ように特に構成される、請求項16に記載のネットワークデバイス。
【請求項１９】
前記少なくとも2つのダウンリンク制御チャネルの前記探索空間により占有される前記リソースを別々に判定するときに、前記判定モジュールが、
第1のリソース構成情報を判定し、前記第1のリソース構成情報に基づいて、前記少なくとも2つのダウンリンク制御チャネルの前記探索空間により占有される前記リソースを判定し、
前記第1のリソース構成情報が、前記少なくとも2つのダウンリンク制御チャネルの前記探索空間が配置される制御リソースセットにより占有されるリソースに関する情報を含み、前記少なくとも2つのダウンリンク制御チャネルに対応する前記探索空間の数が、制御リソースセットの数と同じである、ように特に構成される、請求項18に記載のネットワークデバイス。
【請求項２０】
前記少なくとも2つのダウンリンク制御チャネルの前記探索空間により占有される前記リソースを別々に判定するときに、前記判定モジュールが、
第2のリソース構成情報を判定し、前記第2のリソース構成情報に基づいて、前記少なくとも2つのダウンリンク制御チャネルの前記探索空間により占有される前記リソースを判定し、
前記第2のリソース構成情報が、前記少なくとも2つのダウンリンク制御チャネルの前記探索空間が配置される少なくとも2つの制御リソースセットにより占有されるリソースに関する情報、前記少なくとも2つの制御リソースセットの識別子、および第1のオフセット値のうちの少なくとも1つを含み、前記第1のオフセット値が、前記少なくとも2つの制御リソースセットの前記識別子に基づいて判定され、前記少なくとも2つの制御リソースセットにより占有される前記リソースが重なる、ように特に構成される、請求項18に記載のネットワークデバイス。
【請求項２１】
前記少なくとも2つのダウンリンク制御チャネルの前記探索空間により占有される前記リソースを別々に判定するときに、前記判定モジュールが、
第3のリソース構成情報を判定し、前記第3のリソース構成情報に基づいて、前記少なくとも2つのダウンリンク制御チャネルの前記探索空間により占有される前記リソースを判定し、
前記第3のリソース構成情報が、前記少なくとも2つのダウンリンク制御チャネルの前記探索空間が配置される制御リソースセットにより占有されるリソースに関する情報、前記少なくとも2つのダウンリンク制御チャネルの前記探索空間の識別子、および第2のオフセット値のうちの少なくとも1つを含み、前記第2のオフセット値が、前記少なくとも2つのダウンリンク制御チャネルの前記探索空間の前記識別子に基づいて判定され、前記少なくとも2つのダウンリンク制御チャネルに対応する前記探索空間が配置される前記制御リソースセットが同じである、ように特に構成される、請求項18に記載のネットワークデバイス。
【請求項２２】
前記リソースが時間領域リソースを含み、
前記通信モジュールが、少なくとも1つの別のネットワークデバイスによって送信された通知メッセージを受信し、前記通知メッセージが、前記少なくとも2つのダウンリンク制御チャネルの前記探索空間により占有される第2の時間要素の識別子を含む、ようにさらに構成される、請求項18に記載のネットワークデバイス。
【請求項２３】
第1の探索空間において、第1のダウンリンク制御チャネルにより占有される第1のリソースを判定するように構成される第1の判定モジュールと、
第2の探索空間において、第2のダウンリンク制御チャネルにより占有される第2のリソースを判定するように構成される第2の判定モジュールであって、前記第1のダウンリンク制御チャネルによりスケジューリングされるリソースと前記第2のダウンリンク制御チャネルによりスケジューリングされるリソースとが1つのキャリアに属する、第2の判定モジュールと、
前記第1のリソースを使用することにより前記第1のダウンリンク制御チャネルを別のネットワークデバイスに送信するように構成される第1の通信モジュールと、
前記第2のリソースを使用することにより前記第2のダウンリンク制御チャネルを前記別のネットワークデバイスに送信するように構成される第2の通信モジュールと、
を備える、ネットワークデバイス。
【請求項２４】
前記第1の探索空間が前記第2の探索空間と同じであり、
前記第1の判定モジュールが、第1のパラメータに基づいて前記第1の探索空間を判定するようにさらに構成され、
前記第2の判定モジュールが、前記第1のパラメータに基づいて前記第1の探索空間を判定し、前記第1のパラメータが、制御チャネル要素CCEの数、第1の時間要素の識別子、およびダウンリンク制御チャネルの候補位置のうちの少なくとも1つを含む、ようにさらに構成され、
前記第1の判定モジュールによって判定された前記第1のパラメータに含まれるCCEの数が、前記第2の判定モジュールによって判定された前記第1のパラメータに含まれるCCEの数と同じである、または
前記第1のダウンリンク制御チャネルの第1の時間要素の識別子もしくは前記第2のダウンリンク制御チャネルの第1の時間要素の識別子が、前記第1のリソースのサブキャリア間隔および前記第2のリソースのサブキャリア間隔に基づいて判定される、または
前記第1のダウンリンク制御チャネルの第1の時間要素の識別子が、事前設定されたサブキャリア間隔に対応する時間要素のうち、前記第1のダウンリンク制御チャネルの前記第1の時間要素に対応する時間要素の識別子に基づいて判定され、前記第2のダウンリンク制御チャネルの第1の時間要素の識別子が、前記事前設定されたサブキャリア間隔に対応する前記時間要素のうち、前記第2のダウンリンク制御チャネルの前記第1の時間要素に対応する時間要素の識別子に基づいて判定される、または
前記第1のダウンリンク制御チャネルの候補位置が、前記第2のダウンリンク制御チャネルの候補位置とは異なり、前記第1のダウンリンク制御チャネルの前記候補位置もしくは前記第2のダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、請求項23に記載のネットワークデバイス。
【請求項２５】
前記第1の探索空間が前記第2の探索空間とは異なり、
前記第1の判定モジュールが、前記第1の探索空間により占有される第3のリソースを判定し、前記第3のリソースに基づいて前記第1の探索空間を判定し、前記第3のリソースが周波数領域リソースまたは時間領域リソースを含む、ようにさらに構成される、請求項23に記載のネットワークデバイス。
【請求項２６】
前記第3のリソースに基づいて前記第1の探索空間を判定するときに、前記第1の判定モジュールが、
第1のリソース構成情報を判定し、前記第1のリソース構成情報に基づいて前記第1の探索空間を判定し、前記第1のリソース構成情報が、前記第1の探索空間が配置される制御リソースセットにより占有されるリソースに関する情報を含む、ように特に構成される、請求項25に記載のネットワークデバイス。
【請求項２７】
前記第3のリソースに基づいて前記第1の探索空間を判定するときに、前記第1の判定モジュールが、
第2のリソース構成情報を判定し、前記第2のリソース構成情報に基づいて前記第1の探索空間を判定し、前記第2のリソース構成情報が、前記第1の探索空間が配置される制御リソースセットにより占有されるリソースに関する情報、前記制御リソースセットの識別子、および第1のオフセット値のうちの少なくとも1つを含み、前記第1のオフセット値が、前記制御リソースセットの前記識別子に基づいて判定される、ように特に構成される、請求項25に記載のネットワークデバイス。
【請求項２８】
前記第3のリソースに基づいて前記第1の探索空間を判定するときに、前記第1の判定モジュールが、
第3のリソース構成情報を判定し、前記第3のリソース構成情報に基づいて前記第1の探索空間を判定し、前記第3のリソース構成情報が、前記第1の探索空間が配置される制御リソースセットにより占有されるリソースに関する情報、前記第1の探索空間の識別子、および第2のオフセット値のうちの少なくとも1つを含み、前記第2のオフセット値が、前記第1の探索空間の前記識別子に基づいて判定される、ように特に構成される、請求項25に記載のネットワークデバイス。
【請求項２９】
前記第3のリソースが時間領域リソースを含み、
前記第1の通信モジュールが、前記別のネットワークデバイスに通知メッセージを送信し、前記通知メッセージが、前記第1の探索空間により占有される第2の時間要素の識別子を含む、ようにさらに構成される、請求項25に記載のネットワークデバイス。
【請求項３０】
前記第1の判定モジュールが、第3のパラメータに基づいて前記第1の探索空間を判定し、前記第1の探索空間が少なくとも1つの制御チャネル要素CCEを含み、前記第3のパラメータがCCEの数またはCCE識別子を含む、ようにさらに構成される、
請求項23に記載のネットワークデバイス。
【発明の詳細な説明】
【技術分野】
【０００１】
本出願は、通信技術の分野に関し、詳細には、チャネル送信方法およびネットワークデバイスに関する。
【背景技術】
【０００２】
現在、情報の送信には、基地局とユーザ機器（英語：User Equipment、略称UE）との間で、協調マルチポイント送信／受信（英語：Coordinated Multiple Points Transmission／Reception、略称CoMP）技術が使用され得る。CoMPは、UEのカバレッジ性能を改善するために、1つのUEのための物理ダウンリンク共有チャネル（英語：Physical Downlink Sharing Channel、略称PDSCH）データの送信において、または1つのUEにより送信された物理アップリンク共有チャネル（英語：Physical Uplink Sharing Channel、略称PUSCH）データの受信において、地理的に離れた複数の基地局が互いに協調することを主に意味する。既存のロングタームエボリューション（英語：Long Term Evolution、略称LTE）システムでは、セル内での物理ダウンリンク制御チャネル（英語：Physical Downlink Control Channel、略称PDCCH）の送信は、全帯域幅方式で実行される、すなわち、1つのUEの複数のPDCCHが、1つのサブフレームの異なるキャリア上で共同で送信され、異なるキャリア上でデータをスケジューリングするために異なるPDCCHが使用される。従って、UEは、RNTIに基づく復号によりUEのためのPDCCHを取得するために、UEの無線ネットワーク一時識別子（英語：RNTI Radio Network Temporary Identity、略称RNTI）を使用することにより、サブフレームに含まれるすべてのPDCCHを復号すること、およびPDCCHを介して情報を送信または受信することを試みることができる。しかしながら、現在、1つのUEに対して、UEのためにスケジューリングされている1つのキャリア上の1つのPDCCHしか1つのサブフレームで送信されず、結果として送信効率が比較的低くなる。加えて、協調送信シナリオでは、複数の基地局が独立にスケジューリングを実行でき、1つのPDCCHのみを送信する場合には遅延が通常存在する。その結果、PDCCHが送信される前に把握されるチャネル状態情報（英語：Channel State Information、略称CSI）が無効になる場合があり、PDCCHで運ばれる情報が実際のチャネル状態に適用可能とできなくなり得る。そのため、PDCCHに基づいて実行される情報送信は信頼できない。
【発明の概要】
【０００３】
本発明の実施形態は、複数のダウンリンク制御チャネルを介して1つのキャリア上でデータをスケジューリングし、それにより情報送信効率および信頼性を改善するチャネル送信方法およびネットワークデバイスを提供する。
【課題を解決するための手段】
【０００４】
第1の態様によれば、本発明の一実施形態は、
第1のネットワークデバイスによって、少なくとも2つのダウンリンク制御チャネルの探索空間を判定するステップと、探索空間において、少なくとも2つのダウンリンク制御チャネルにより占有されるリソースを別々に判定するステップと、リソースを使用することにより少なくとも2つのダウンリンク制御チャネルを取得するステップと、
を含む、チャネル送信方法であって、
少なくとも2つのダウンリンク制御チャネルによりスケジューリングされるリソースが1つのキャリアに属し、ダウンリンク制御チャネルが、ダウンリンクスケジューリング情報を含むこともできるし、アップリンクスケジューリング情報を含むこともできる、チャネル送信方法を提供する。
【０００５】
場合により、少なくとも2つのダウンリンク制御チャネルが、1つのネットワークデバイスによって第1のネットワークデバイスに送信されてもよいし、複数のネットワークデバイスによって第1のネットワークデバイスに送信されてもよい。第1のネットワークデバイスは、基地局であってもよいし、ユーザ機器であってもよい。
【０００６】
さらに場合により、少なくとも2つのダウンリンク制御チャネルの探索空間は同じであっても異なっていてもよい。
【０００７】
いくつかの可能な実装形態では、少なくとも2つのダウンリンク制御チャネルの探索空間が同じであってもよく、少なくとも2つのダウンリンク制御チャネルの探索空間を判定するとき、第1のネットワークデバイスが第1のパラメータに基づいて少なくとも2つのダウンリンク制御チャネルの探索空間を判定してもよく、
第1のパラメータが、制御チャネル要素の数（英語：Control Channel Element、略称CCE）、第1の時間要素の識別子、およびダウンリンク制御チャネルの候補位置のうちの少なくとも1つを含み得る。場合により、第1のパラメータが、第1のネットワークデバイスによって判定されてもよいし、第1のパラメータが、少なくとも2つのダウンリンク制御チャネルを送信するネットワークデバイスによって第1のネットワークデバイスに送信されてもよく、その結果、第1のネットワークデバイスが、少なくとも1つのネットワークデバイスによって送信された第1のパラメータを受信でき、従って、第1のパラメータに基づいて、少なくとも2つのダウンリンク制御チャネルの探索空間を判定することができる。
【０００８】
いくつかの可能な実装形態では、少なくとも2つのダウンリンク制御チャネルの探索空間のCCEの数が同じである、または少なくとも2つのダウンリンク制御チャネルの第1の時間要素の識別子が、少なくとも2つのダウンリンク制御チャネルにより占有されるリソースのサブキャリア間隔に基づいて判定される、または少なくとも2つのダウンリンク制御チャネルの第1の時間要素の識別子が、事前設定されたサブキャリア間隔に対応する時間要素のうち、少なくとも2つのダウンリンク制御チャネルの第1の時間要素に対応する時間要素の識別子に基づいて判定される、または少なくとも2つのダウンリンク制御チャネルの候補位置が異なり、少なくとも2つのダウンリンク制御チャネルの候補位置が、第2のパラメータに基づいて判定され、第2のパラメータが、デバイス種別、デバイス識別子、およびアグリゲーションレベルのうちの少なくとも1つを含む。
【０００９】
いくつかの可能な実装形態では、第1のネットワークデバイスが、少なくとも2つのダウンリンク制御チャネルの時間要素情報に基づいて、少なくとも2つのダウンリンク制御チャネルの探索空間に対応するCCEの数をさらに判定してもよく、時間要素情報が、第2の時間要素の数または第2の時間要素の識別子を含む。換言すれば、第1のネットワークデバイスが、少なくとも2つのダウンリンク制御チャネルの探索空間を判定するために、少なくとも2つのダウンリンク制御チャネル（または少なくとも2つのダウンリンク制御チャネルの探索空間）に対応する第2の時間要素の数または第2の時間要素の識別子に基づいて、少なくとも2つのダウンリンク制御チャネルの探索空間のCCEの数、または少なくとも2つのダウンリンク制御チャネルの探索空間が配置される制御リソースセットのCCEの数をさらに判定してもよい。場合により、第2の時間要素に対応する時間単位が、第1の時間要素に対応する時間単位と同じであっても異なっていてもよい。
【００１０】
いくつかの可能な実装形態では、少なくとも2つのダウンリンク制御チャネルの探索空間が異なっていてもよく、第1のネットワークデバイスによって、少なくとも2つのダウンリンク制御チャネルの探索空間を判定するステップが、具体的には、第1のネットワークデバイスによって、少なくとも2つのダウンリンク制御チャネルの探索空間により占有されるリソースを別々に判定するステップであって、少なくとも2つのダウンリンク制御チャネルの探索空間により占有されるリソースが異なる、ステップと、リソースに基づいて少なくとも2つのダウンリンク制御チャネルの探索空間を別々に判定するステップであって、リソースが周波数領域リソースまたは時間領域リソースを含み得る、ステップと、であり得る。
【００１１】
換言すれば、第1のネットワークデバイスによって受信された複数のダウンリンク制御チャネルの探索空間が異なる場合、複数のダウンリンク制御チャネルの探索空間を判定するとき、第1のネットワークデバイスが、複数のダウンリンク制御チャネルの探索空間により占有された時間領域リソースおよび／または周波数領域リソースを別々に判定し、リソースに基づいて複数のダウンリンク制御チャネルの探索空間を別々に判定してもよい。
【００１２】
いくつかの可能な実装形態では、第1のネットワークデバイスによって、少なくとも2つのダウンリンク制御チャネルの探索空間により占有されるリソースを別々に判定するステップが、具体的には、第1のネットワークデバイスによって、第1のリソース構成情報を判定するステップと、第1のリソース構成情報に基づいて、少なくとも2つのダウンリンク制御チャネルの探索空間により占有されるリソースを判定するステップであって、第1のリソース構成情報が、少なくとも2つのダウンリンク制御チャネルの探索空間が配置される制御リソースセットにより占有されるリソースに関する情報を含み、少なくとも2つのダウンリンク制御チャネルに対応する探索空間の数が、制御リソースセットの数と同じである、ステップと、であり得る。換言すれば、少なくとも2つのダウンリンク制御チャネルに対応する少なくとも2つの探索空間が、少なくとも2つの制御リソースセットに配置されてもよく、少なくとも2つの制御リソースセットの周波数領域リソースが重ならない、すなわち、少なくとも2つのダウンリンク制御チャネルの探索空間が配置される制御リソースセットが異なる。
【００１３】
いくつかの可能な実装形態では、第1のネットワークデバイスによって、少なくとも2つのダウンリンク制御チャネルの探索空間により占有されるリソースを別々に判定するステップが、具体的には、第1のネットワークデバイスによって、第2のリソース構成情報を判定するステップと、第2のリソース構成情報に基づいて、少なくとも2つのダウンリンク制御チャネルの探索空間により占有されるリソースを判定するステップであって、第2のリソース構成情報が、少なくとも2つのダウンリンク制御チャネルの探索空間が配置される少なくとも2つの制御リソースセットにより占有されるリソースに関する情報、少なくとも2つの制御リソースセットの識別子、および第1のオフセット値のうちの少なくとも1つを含み、第1のオフセット値が、少なくとも2つの制御リソースセットの識別子に基づいて判定され、少なくとも2つの制御リソースセットにより占有されるリソースが重なる、ステップと、であり得る。換言すれば、少なくとも2つのダウンリンク制御チャネルに対応する少なくとも2つの探索空間が、少なくとも2つの制御リソースセットに配置されてもよく、少なくとも2つの制御リソースセットの周波数領域リソースが完全に重なってもよく、少なくとも2つのダウンリンク制御チャネルに対応する探索空間の数が制御リソースセットの数と同じである。
【００１４】
いくつかの可能な実装形態では、第1のネットワークデバイスによって、少なくとも2つのダウンリンク制御チャネルの探索空間により占有されるリソースを別々に判定するステップが、具体的には、第1のネットワークデバイスによって、第3のリソース構成情報を判定するステップと、第3のリソース構成情報に基づいて、少なくとも2つのダウンリンク制御チャネルの探索空間により占有されるリソースを判定するステップであって、第3のリソース構成情報が、少なくとも2つのダウンリンク制御チャネルの探索空間が配置される制御リソースセットにより占有されるリソースに関する情報、少なくとも2つのダウンリンク制御チャネルの探索空間の識別子、および第2のオフセット値のうちの少なくとも1つを含み、第2のオフセット値が、少なくとも2つのダウンリンク制御チャネルの探索空間の識別子に基づいて判定され、少なくとも2つのダウンリンク制御チャネルに対応する探索空間が配置される制御リソースセットが同じである、ステップと、であり得る。換言すれば、少なくとも2つのダウンリンク制御チャネルに対応する探索空間が、1つの制御リソースセットに配置され得る。
【００１５】
場合により、第1のリソース構成情報、第2のリソース構成情報、または第3のリソース構成情報が、CCE識別子などの情報をさらに運ぶことができ、その結果、探索空間がCCE識別子と組み合わされてさらに判定される。
【００１６】
さらに場合により、第1のリソース構成情報、第2のリソース構成情報、または第3のリソース構成情報が、少なくとも1つの第2のネットワークデバイスによって第1のネットワークデバイスにさらに送信され得る。例えば、第1のリソース構成情報、第2のリソース構成情報、または第3のリソース構成情報は、通知メッセージを使用することにより指示される。第2のネットワークデバイスは、少なくとも2つのダウンリンク制御チャネルのうちの1つ以上を送信するネットワークデバイスであり得る。
【００１７】
いくつかの可能な実装形態では、リソースが時間領域リソースを含んでもよく、第1のネットワークデバイスが、少なくとも1つの第2のネットワークデバイスによって送信された通知メッセージをさらに受信してもよく、通知メッセージが、少なくとも2つのダウンリンク制御チャネルの探索空間により占有される第3の時間要素の識別子を指示するために使用され得る。例えば、通知メッセージは、第3の時間要素の識別子を運んでもよい。場合により、第3の時間要素に対応する時間単位が、第1の時間要素に対応する時間単位と同じであっても異なっていてもよく、また第3の時間要素に対応する時間単位が、第2の時間要素に対応する時間単位と同じであっても異なっていてもよい。このことは、本出願において限定されない。
【００１８】
いくつかの可能な実装形態では、第1のネットワークデバイスによって、少なくとも2つのダウンリンク制御チャネルの探索空間を判定するステップが、具体的には、第1のネットワークデバイスによって、第3のパラメータに基づいて少なくとも2つのダウンリンク制御チャネルの探索空間を判定するステップであって、探索空間が少なくとも1つのCCEを含み、第3のパラメータがCCEの数またはCCE識別子を含む、ステップであり得る。従って、第1のネットワークデバイスは、CCEの数またはCCE識別子に基づいて探索空間を判定することができる。
【００１９】
さらに場合により、第1のネットワークデバイスが、少なくとも1つの第2のネットワークデバイスによって送信された第1のメッセージをさらに受信することができ、第1のメッセージが、送信されるダウンリンク制御チャネルの数を指示するために使用され、その結果、第1のネットワークデバイスがその数に基づいてダウンリンク制御チャネルを取得し、取得したダウンリンク制御チャネルの数が第1のメッセージで指示された数に達した後、ブラインド検出を停止することができる。これは、ブラインド検出を減らし、デバイスのオーバーヘッドを減らす。あるいは、第1のネットワークデバイスが、少なくとも1つの第2のネットワークデバイスに第2のメッセージをさらに送信することができ、第2のメッセージが、第1のネットワークデバイスが受信できるダウンリンク制御チャネルの数を指示するために使用され、その結果、第2のネットワークデバイスが第2のメッセージで指示された数に基づいてダウンリンク制御チャネルを送信することができ、第2のネットワークデバイスによって送信されたダウンリンク制御チャネルの数が、第2のメッセージで指示された数を超えない。場合により、第1のメッセージまたは第2のメッセージで指示される数の値が、第1のネットワークデバイスの受信能力に関連付けられても、現在のチャネル状態に関連付けられてもよい。より強力な受信能力はより多くの数を示し、より良いチャネル条件はより多くの数を示す、などである。このことは、本出願において限定されない。さらに場合により、探索空間は、アグリゲーションレベル、制御情報フォーマット、制御情報サイズ、および探索空間の数のうちの少なくとも1つに基づいてさらに判定され得る。これは、ブラインド検出を減らし、システムのオーバーヘッドを減らし得る。
【００２０】
第2の態様によれば、本発明の一実施形態は、
第1のネットワークデバイスによって、第1の探索空間において、第1のダウンリンク制御チャネルにより占有される第1のリソースを判定するステップと、
第2のネットワークデバイスによって、第2の探索空間において、第2のダウンリンク制御チャネルにより占有される第2のリソースを判定するステップと、
第1のネットワークデバイスによって、第1のリソースを使用することにより第1のダウンリンク制御チャネルを第3のネットワークデバイスに送信するステップと、
第2のネットワークデバイスによって、第2のリソースを使用することにより第2のダウンリンク制御チャネルを第3のネットワークデバイスに送信するステップと、
を含む、チャネル送信方法であって、
第1のダウンリンク制御チャネルによりスケジューリングされるリソースと第2のダウンリンク制御チャネルによりスケジューリングされるリソースとが1つのキャリアに属する、チャネル送信方法を提供する。
【００２１】
いくつかの可能な実装形態では、第1のネットワークデバイスが第1の探索空間を判定し、第2のネットワークデバイスが第2の探索空間を判定してもよい。場合により、第1のネットワークデバイスおよび第2のネットワークデバイスが同じネットワークデバイスであってもよい、すなわち、同じネットワークデバイスが、複数のダウンリンク制御チャネルを第3のネットワークデバイス、すなわち別のネットワークデバイスに送信してもよいし、第1のネットワークデバイスと第2のネットワークデバイスとが異なるネットワークデバイスであってもよい、すなわち、1つ以上のネットワークデバイスが、複数のダウンリンク制御チャネルを第3のネットワークデバイスに送信してもよい。第1のネットワークデバイスおよび第2のネットワークデバイスは、基地局であってもよいし、ユーザ機器であってもよく、また第3のネットワークデバイスは、ユーザ機器であってもよいし、基地局であってもよい。第1のネットワークデバイスおよび第2のネットワークデバイスは、第1の態様によるチャネル送信方法における少なくとも1つの第2のネットワークデバイスに対応してもよく、第3のネットワークデバイスは、第1の態様によるチャネル送信方法における第1のネットワークデバイスに対応してもよい。
【００２２】
場合により、少なくとも2つのダウンリンク制御チャネルの探索空間は同じであっても異なっていてもよい。
【００２３】
いくつかの可能な実装形態では、第1の探索空間が第2の探索空間と同じであってもよく、第1のネットワークデバイスが第1のパラメータに基づいて第1の探索空間を判定してもよい。さらに場合により、第2のネットワークデバイスが第2のパラメータに基づいて第2の探索空間を判定してもよい。第1のパラメータまたは第2のパラメータは、CCEの数、第1の時間要素の識別子、およびダウンリンク制御チャネルの候補位置のうちの少なくとも1つを含み得る。
【００２４】
場合により、第1のパラメータに含まれるCCEの数が、第2のパラメータに含まれるCCEの数と同じである、または第1のダウンリンク制御チャネルの第1の時間要素の識別子もしくは第2のダウンリンク制御チャネルの第1の時間要素の識別子が、第1のリソースのサブキャリア間隔および第2のリソースのサブキャリア間隔に基づいて判定される、または第1のダウンリンク制御チャネルの第1の時間要素の識別子が、事前設定されたサブキャリア間隔に対応する時間要素のうち、第1のダウンリンク制御チャネルの第1の時間要素に対応する時間要素の識別子に基づいて判定され、第2のダウンリンク制御チャネルの第1の時間要素の識別子が、事前設定されたサブキャリア間隔に対応する時間要素のうち、第2のダウンリンク制御チャネルの第1の時間要素に対応する時間要素の識別子に基づいて判定される、または第1のダウンリンク制御チャネルの候補位置が、第2のダウンリンク制御チャネルの候補位置とは異なり、第1のダウンリンク制御チャネルの候補位置もしくは第2のダウンリンク制御チャネルの候補位置が、第3のパラメータに基づいて判定され、第3のパラメータが、デバイス種別、デバイス識別子、およびアグリゲーションレベルのうちの少なくとも1つを含む。
【００２５】
いくつかの可能な実装形態では、第1のネットワークデバイスまたは第2のネットワークデバイスが、第1のパラメータおよび／または第2のパラメータおよび／または第3のパラメータを第3のネットワークデバイスにさらに送信し得る。
【００２６】
いくつかの可能な実装形態では、第1の探索空間が第2の探索空間とは異なり、第1のネットワークデバイスが第1の探索空間を判定することが、具体的には、第1のネットワークデバイスによって、第1の探索空間により占有される第3のリソースを判定し、第3のリソースに基づいて第1の探索空間を判定することであって、第3のリソースが周波数領域リソースまたは時間領域リソースを含み得る、ことであり得る。
【００２７】
いくつかの可能な実装形態では、第2のネットワークデバイスが第2の探索空間を判定することが、具体的には、第2のネットワークデバイスによって、第2の探索空間により占有される第4のリソースを判定し、第4のリソースに基づいて第2の探索空間を判定することであって、第4のリソースが周波数領域リソースまたは時間領域リソースを含み得る、ことであり得る。
【００２８】
いくつかの可能な実装形態では、第1のネットワークデバイスが第3のリソースに基づいて第1の探索空間を判定することが、具体的には、第1のネットワークデバイスによって、第1のリソース構成情報を判定し、第1のリソース構成情報に基づいて第1の探索空間を判定することであって、第1のリソース構成情報が、第1の探索空間が配置される制御リソースセットにより占有されるリソースに関する情報を含む、ことであり得る。これに対応して、第2のネットワークデバイスが第4のリソースに基づいて第2の探索空間を判定することが、具体的には、第2のネットワークデバイスによって、第4のリソース構成情報を判定し、第4のリソース構成情報に基づいて第2の探索空間を判定することであって、第4のリソース構成情報が、第2の探索空間が配置される制御リソースセットにより占有されるリソースに関する情報を含む、ことであり得る。
【００２９】
いくつかの可能な実装形態では、第1のネットワークデバイスが第3のリソースに基づいて第1の探索空間を判定することが、具体的には、第1のネットワークデバイスによって、第2のリソース構成情報を判定し、第2のリソース構成情報に基づいて第1の探索空間を判定することであって、第2のリソース構成情報が、第1の探索空間が配置される制御リソースセットにより占有されるリソースに関する情報、制御リソースセットの識別子、および第1のオフセット値のうちの少なくとも1つを含み、第1のオフセット値が、制御リソースセットの識別子に基づいて判定される、ことであり得る。これに対応して、第2のネットワークデバイスが第4のリソースに基づいて第1の探索空間を判定することが、具体的には、第2のネットワークデバイスによって、第5のリソース構成情報を判定し、第5のリソース構成情報に基づいて第2の探索空間を判定することであって、第5のリソース構成情報が、第2の探索空間が配置される制御リソースセットにより占有されるリソースに関する情報、制御リソースセットの識別子、および第1のオフセット値のうちの少なくとも1つを含み、第1のオフセット値が、制御リソースセットの識別子に基づいて判定される、ことであり得る。
【００３０】
いくつかの可能な実装形態では、第1のネットワークデバイスが第3のリソースに基づいて第1の探索空間を判定することが、具体的には、第1のネットワークデバイスによって、第3のリソース構成情報を判定し、第3のリソース構成情報に基づいて第1の探索空間を判定することであって、第3のリソース構成情報が、第1の探索空間が配置される制御リソースセットにより占有されるリソースに関する情報、第1の探索空間の識別子、および第2のオフセット値のうちの少なくとも1つを含み、第2のオフセット値が、第1の探索空間の識別子に基づいて判定される、ことであり得る。これに対応して、第2のネットワークデバイスが第4のリソースに基づいて第1の探索空間を判定することが、具体的には、第2のネットワークデバイスによって、第6のリソース構成情報を判定し、第6のリソース構成情報に基づいて第2の探索空間を判定することであって、第6のリソース構成情報が、第2の探索空間が配置される制御リソースセットにより占有されるリソースに関する情報、第2の探索空間の識別子、および第2のオフセット値のうちの少なくとも1つを含み、第2のオフセット値が、第2の探索空間の識別子に基づいて判定される、ことであり得る。
【００３１】
いくつかの可能な実装形態では、第1のネットワークデバイスが、第3のネットワークデバイスに通知メッセージをさらに送信することができ、通知メッセージが、第1のリソース構成情報または第2のリソース構成情報または第3のリソース構成情報を指示するために使用される。換言すれば、第1のリソース構成情報を判定した後、第1のネットワークデバイスは、第1のリソース構成情報を第3のネットワークデバイスに通知するために、第1のリソース構成情報を指示するために使用される通知メッセージを第3のネットワークデバイスにさらに送信することができ、その結果、第3のネットワークデバイスが、ダウンリンク制御チャネルを取得するために、第1のリソース構成情報に基づいて探索空間を判定する。さらに、第2のリソース構成情報を判定した後、第1のネットワークデバイスは、第2のリソース構成情報を指示するために使用される通知メッセージを第3のネットワークデバイスにさらに送信することができ、第3のリソース構成情報を判定した後、第1のネットワークデバイスは、第3のリソース構成情報を指示するために使用される通知メッセージを第3のネットワークデバイスにさらに送信することができる。ここではこれ以上詳細を説明しない。さらに、第2のネットワークデバイスが、第3のネットワークデバイスに通知メッセージをさらに送信することができ、通知メッセージが、第4のリソース構成情報または第5のリソース構成情報または第6のリソース構成情報を指示するために使用される。
【００３２】
いくつかの可能な実装形態では、第3のリソースが時間領域リソースを含んでもよく、第1のネットワークデバイスが、通知メッセージを第3のネットワークデバイスにさらに送信してもよく、通知メッセージが、第1の探索空間により占有される第2の時間要素の識別子を含む。これに対応して、第2のネットワークデバイスが、通知メッセージを第3のネットワークデバイスにさらに送信してもよく、通知メッセージが、第2の探索空間により占有される第2の時間要素の識別子を含む。
【００３３】
いくつかの可能な実装形態では、第1のネットワークデバイスが、第1のメッセージを第3のネットワークデバイスにさらに送信することができ、第1のメッセージが、送信されるダウンリンク制御チャネルの数を指示するために使用され（また探索空間の数をさらに指示することができ）、その結果、第3のネットワークデバイスが第1のメッセージで指示された数に基づいてダウンリンク制御チャネルを受信し、受信したダウンリンク制御チャネルの数が第1のメッセージで指示された数に達した後、ブラインド検出を停止することができる。これは、ブラインド検出を減らし、デバイスのオーバーヘッドを減らす。第1のネットワークデバイスが、第3のネットワークデバイスによって送信された第2のメッセージをさらに受信することができ、第2のメッセージが、第3のネットワークデバイスが受信できるダウンリンク制御チャネルの数を指示するために使用され（また探索空間の数をさらに指示することができ）、その結果、第1のネットワークデバイスが数に基づいてダウンリンク制御チャネルを送信することができ、第1のネットワークデバイスによって送信されたダウンリンク制御チャネルの数が、第2のメッセージに指示された数を超えない場合がある。場合により、第1のメッセージまたは第2のメッセージで指示される数の値が、第3のネットワークデバイスの受信能力に関連付けられても、現在のチャネル状態に関連付けられてもよい。より強力な受信能力はより多くの数を示し、より良いチャネル条件はより多くの数を示す、などである。このことは、本出願において限定されない。さらに場合により、探索空間は、アグリゲーションレベル、制御情報フォーマット、制御情報サイズ、および探索空間の数のうちの少なくとも1つに基づいて判定され得る。これは、ブラインド検出を減らし、システムのオーバーヘッドを減らし得る。
【００３４】
いくつかの可能な実装形態では、第1のネットワークデバイスが、第4のパラメータに基づいて第1の探索空間をさらに判定することができ、第1の探索空間が少なくとも1つの制御チャネル要素CCEを含み、第4のパラメータがCCEの数、CCE識別子などを含むことができる。これに対応して、第2のネットワークデバイスが、第5のパラメータに基づいて第2の探索空間をさらに判定することができ、第2の探索空間が少なくとも1つのCCEを含み、第5のパラメータがCCEの数、CCE識別子などを含むことができる。
【００３５】
第3の態様によれば、本出願は、ネットワークデバイスをさらに提供し、ネットワークデバイスが、判定モジュールと通信モジュールとを備え、ネットワークデバイスが、上記のモジュールを使用することにより、第1の態様によるチャネル送信方法における第1のネットワークデバイスのステップの一部または全部を実施する。モジュールは、ソフトウェアおよび／またはハードウェアであり得る。
【００３６】
第4の態様によれば、本出願は、ネットワークデバイスを提供し、ネットワークデバイスが、第1の判定モジュールと第2の判定モジュールと第1の通信モジュールと第2の通信モジュールとを備え、ネットワークデバイスが、上記のモジュールを使用することにより、第2の態様によるチャネル送信方法における第1のネットワークデバイスまたは第2のネットワークデバイスのステップの一部または全部を実施する。モジュールは、ソフトウェアおよび／またはハードウェアであり得る。
【００３７】
第5の実施態様によれば、本出願は、コンピュータ記憶媒体をさらに提供し、コンピュータ記憶媒体が、プログラムを格納し、プログラムが実行された場合に、第1の態様によるチャネル送信方法におけるステップの一部または全部が実行される。
【００３８】
第6の実施態様によれば、本出願は、コンピュータ記憶媒体をさらに提供し、コンピュータ記憶媒体が、プログラムを格納し、プログラムが実行された場合に、第2の態様によるチャネル送信方法におけるステップの一部または全部が実行される。
【００３９】
第7の態様によれば、本出願は、通信インターフェース、メモリ、およびプロセッサを備えるネットワークデバイスをさらに提供し、プロセッサが通信インターフェースおよびメモリに接続され、
メモリがプログラム命令を格納するように構成され、
プロセッサが、第1の態様によるチャネル送信方法におけるステップの一部または全部を実行するために、メモリ内のプログラム命令を呼び出すように構成される。
【００４０】
第8の態様によれば、本出願は、通信インターフェース、メモリ、およびプロセッサを備えるネットワークデバイスをさらに提供し、プロセッサが通信インターフェースおよびメモリに接続され、
メモリがプログラム命令を格納するように構成され、
プロセッサが、第2の態様によるチャネル送信方法におけるステップの一部または全部を実行するために、メモリ内のプログラム命令を呼び出すように構成される。
【００４１】
第9の態様によれば、本出願は、第1のネットワークデバイスと少なくとも1つの第2のネットワークデバイスとを備えるチャネル送信システムをさらに提供し、第1のネットワークデバイスが、第1の態様によるチャネル送信方法におけるステップの一部または全部を実行するように構成され、第2のネットワークデバイスが、第2の態様によるチャネル送信方法におけるステップの一部または全部を実行するように構成される。
【００４２】
本出願の別の態様は、命令を含むコンピュータプログラム製品を提供し、コンピュータプログラム製品がコンピュータ上で実行された場合、コンピュータが上記の態様における方法を実行できるようになる。
【００４３】
本出願で提供される技術的解決策では、ネットワークデバイスは、スケジューリングされるリソースが1つのキャリアのPDCCHなどの複数のダウンリンク制御チャネルの探索空間に属することを判定し、リソースを使用することにより複数のPDCCHを送信するために、探索空間において、複数のPDCCHにより占有されるリソースをさらに別々に判定することができる。このようにして、1つのネットワークデバイスは、1つ以上の他のネットワークデバイスによって送信された複数のPDCCHを受信し、複数のPDCCHを介して1つのキャリア上でデータをスケジューリングすることができる。これは、情報送信効率および情報送信の信頼性を改善する。
【００４４】
本発明の実施形態または背景技術における技術的解決策をより明確に説明するために、以下、本発明の各実施形態または背景技術を説明するために必要な添付の図面を説明する。
【図面の簡単な説明】
【００４５】
【図１】本発明の一実施形態による通信システムのアーキテクチャ図である。
【図２】本発明の一実施形態によるチャネル送信方法の概略的な相互作用図である。
【図３】本発明の一実施形態によるRS構成の概略図である。
【図４】本発明の一実施形態による異なるサブキャリア間隔に基づくサブフレームの概略図である。
【図５ａ】本発明の一実施形態による候補位置の概略構成図である。
【図５ｂ】本発明の一実施形態による候補位置の別の概略構成図である。
【図５ｃ】本発明の一実施形態による候補位置のさらに別の概略構成図である。
【図６】本発明の一実施形態による別のチャネル送信方法の概略的な相互作用図である。
【図７】本発明の一実施形態による周波数分割に基づく探索空間構成の概略図である。
【図８ａ】本発明の一実施形態による制御リソースセットおよび探索空間の概略構成図である。
【図８ｂ】本発明の一実施形態による制御リソースセットおよび探索空間の別の概略構成図である。
【図８ｃ】本発明の一実施形態による制御リソースセットおよび探索空間のさらに別の概略構成図である。
【図９】本発明の一実施形態による時分割に基づく探索空間構成の概略図である。
【図１０ａ】本発明の一実施形態による探索空間のCCEの概略構成図である。
【図１０ｂ】本発明の一実施形態による探索空間のCCEの別の概略構成図である。
【図１１】本発明の一実施形態によるさらに別のチャネル送信方法の概略的な相互作用図である。
【図１２】本発明の一実施形態によるネットワークデバイスの概略構成図である。
【図１３】本発明の一実施形態による別のネットワークデバイスの概略構成図である。
【図１４】本発明の一実施形態によるチャネル送信システムの概略構成図である。
【図１５】本発明の一実施形態によるさらに別のネットワークデバイスの概略構成図である。
【図１６】本発明の一実施形態によるまた別のネットワークデバイスの概略構成図である。
【発明を実施するための形態】
【００４６】
以下、本発明の実施形態における添付の図面を参照しながら、本発明の実施形態を説明する。
【００４７】
本出願の技術的解決策は、様々な通信システム、例えば、汎欧州デジタル移動電話方式（Global System of Mobile communication、略称GSM（登録商標））、符号分割多元接続（英語：Code Division Multiple Access、略称CDMA）システム、広帯域符号分割多元接続（英語：Wideband Code Division Multiple Access、略称WCDMA（登録商標））、時分割同期符号分割多元接続（英語：Time Division−Synchronous Code Division Multiple Access、略称TD−SCDMA）システム、ユニバーサルモバイルテレコミュニケーションシステム（英語：Universal Mobile Telecommunication System、略称UMTS）、およびロングタームエボリューション（英語：Long Term Evolution、略称LTE）システムに特に適用できることを理解されたい。通信技術が継続的に発展するにつれて、本出願の技術的解決策は、NR（英語：New Radio、略称NR）システムとも呼ばれ得る第5世代モバイル通信技術（英語：The Fifth Generation Mobile Communication Technology、略称5G）システムなどの将来のネットワークにさらに使用されてもよいし、D2D（device to device）システム、M2M（machine to machine）システムなどに使用されてもよい。
【００４８】
本出願は、ネットワークデバイスに関連して説明される。ネットワークデバイスは、基地局であっても、ユーザ機器であってもよい。例えば、本出願における通信は、基地局とユーザ機器との間で実行されてもよいし、基地局間、例えばマクロ基地局とスモールセルとの間で実行されてもよいし、ユーザ機器間、例えばD2Dネットワークにおける通信で実行されてもよい。
【００４９】
本出願では、ユーザ機器（英語：User Equipment、略称UE）はまた、端末（terminal）、モバイルコンソール（英語：Mobile Station、略称MS）、モバイル端末（mobile terminal）、加入者ユニット（英語：Subscriber Unit、略称SU）、加入者局（英語：Subscriber Station、略称SS）、移動局（英語：Mobile Station、略称MB）、リモートステーション（英語：Remote Station、略称RS）、アクセスポイント（英語：Access Point、略称AP）、リモート端末（英語：Remote Terminal、略称RT）、アクセス端末（英語：Access Terminal、略称AT）、ユーザ端末（英語：User Terminal、略称UT）、ユーザエージェント（英語：User Agent、略称UA）、端末デバイス（英語：User Device、略称UD）、ユーザ機器（英語：User Equipment、略称UE）などとも呼ばれ得る。このことは、本出願において限定されない。ユーザ機器は、無線端末であってもよいし、有線端末であってもよい。無線端末は、ユーザのために音声および／またはデータ接続性を提供するデバイス、無線接続機能を有する携帯デバイス、あるいは無線モデムに接続された別の処理デバイスとすることができる。無線端末は、無線アクセスネットワーク（例えば、RAN、radio access network）を通じて1つ以上のコアネットワークと通信できる。例えば、ユーザ機器は、モバイル端末、例えば携帯電話（「セルラ」電話とも呼ばれる）またはモバイル端末を備えたコンピュータであってもよいし、無線アクセスネットワークと音声および／またはデータを交換する、ポータブル、ポケットサイズ、ハンドヘルド、コンピュータ内蔵、または車載のモバイル装置、例えば、パーソナルコミュニケーションサービス（英語：Personal Communication Service、略称PCS）電話、コードレス電話、セッションイニシエーションプロトコル（英語：Session Initiation Protocol、略称SIP）電話、ワイヤレスローカルループ（英語：Wireless Local Loop、略称WLL）ステーション、または携帯情報端末（英語：Personal Digital Assistant、略称PDA）であってもよい。
【００５０】
本出願では、基地局は、アクセスネットワークにおいて、無線インターフェースを介して1つ以上のセクタを使用することによりユーザ機器と通信するデバイスとすることができる。基地局は、無線インターフェースの属性管理を協調させることができる。例えば、基地局は、GSM（登録商標）またはCDMA基地局、例えば、ベーストランシーバ基地局（base transceiver station、略称BTS）であってもよいし、WCDMA（登録商標）基地局、例えばNodeBであってもよいし、LTE発展型基地局、例えばeNBまたはe−NodeB（evolutional Node B）であってもよいし、5Gシステムの基地局、例えばgNBまたは将来のネットワークの基地局であってもよいし、送信ポイント（英語：Transmission point、略称TP）、送信／受信ポイント（英語：transmission and receiver point、略称TRP）、リレーデバイス、基地局機能を備えた別のネットワークデバイスなどであってもよい。このことは、本出願において限定されない。
【００５１】
本出願における制御チャネルは、リソーススケジューリング情報および他の制御情報を運ぶために主に使用される。例えば、制御チャネルは、物理ダウンリンク制御チャネル（英語：Physical Downlink Control Channel、略称PDCCH）、拡張物理ダウンリンク制御チャネル（英語：Enhanced Physical Downlink Control Channel、略称EPDCCH）、new radio物理ダウンリンク制御チャネル（英語：New Radio Physical Downlink Control Channel、略称NR−PDCCH）、またはネットワークの発展とともに定義される上記の機能を持つ別のダウンリンクチャネルであってもよいし、アップリンク制御チャネル、例えば物理アップリンク制御チャネル（Physical Uplink Control CHannel、略称PUCCH）であってもよい。PDCCHが本出願における説明のための一例として使用される。本出願では、チャネルはまた、信号または他の名称で呼ばれる場合もある。このことは、本出願において限定されない。
【００５２】
本出願では、時間要素は時間単位に対応する要素である。時間単位は、情報送信のために使用される時間領域における時間単位またはスケジューリング単位である。時間要素は、時間領域において整数個のシンボルを含む。例えば、時間単位は、サブフレームであってもよいし、スロット（slot）であってもよいし、無線フレーム、ミニスロット（mini slotまたはsub slot）、複数のスロットの集約されたスロット、複数のサブフレームの集約されたサブフレーム、シンボルなどであってもよいし、送信時間間隔（英語：Transmission Time Interval、略称TTI）であってもよい。このことは、本出願において限定されない。時間単位の1つ以上の時間要素は、時間領域における別の時間単位の整数個の時間要素を含んでもよい、または時間単位の1つ以上の時間要素の長さが、時間領域における別の時間単位の整数個の時間要素の合計長に等しい。例えば、1つのミニスロット／スロット／サブフレーム／無線フレームは整数個のシンボルを含み、1つのスロット／サブフレーム／無線フレームは整数個のミニスロットを含み、1つのサブフレーム／無線フレームは整数個のスロットを含み、1つの無線フレームは整数個のサブフレームを含む、などである。他の例もあり得る。このことは、本出願において限定されない。
【００５３】
次に、本出願のアプリケーションシナリオについて説明する。本出願では、説明のための例として、基地局とUEとの間の通信が使用される。図1は、本発明の一実施形態による通信システムのアーキテクチャ図である。具体的には、図1に示されるように、通信システムは少なくとも1つの基地局（図1には2つの基地局が示されている）とUEとを備える。基地局とUEとは、情報送信を実施するために、上記の無線通信システムにおいて、NRシステムとも呼ばれ得る5GシステムおよびLTEシステムなどの様々な通信システムを使用することにより互いに通信することができる。
【００５４】
基地局とUEとの間における情報送信の際、UEは、サブフレームなどの時間要素において、すべてのPDCCH候補位置（候補リソース）をリッスンして復号を試みる必要がある。候補リソースには、リッスンされる必要がある1つ以上のPDCCHがある。本出願では、時間要素で異なるPDCCH探索空間（Search Space）を使用することにより、または時間要素で同じPDCCH探索空間を使用することにより、同じUEのために複数のPDCCHが構成され得る。場合により、複数のPDCCHは、同じビームを使用することにより送信されてもよいし（すなわち、1つのビームを使用することにより送信される）か、異なるビームを使用することにより送信されてもよい。従って、UEは、情報を送信するために、複数のPDCCHを受信し、複数の受信したPDCCHを介して1つのキャリア上にデータをスケジューリングすることができる。複数のPDCCHのそれぞれは、ダウンリンクスケジューリング情報を含んでもよいし、アップリンクスケジューリング情報を含んでもよい。本出願では、PDCCH探索空間は少なくとも1つのCCEから構成され、サブフレームなどの時間要素の制御領域にある合計数のCCEを特に含むことができる。CCEは、制御チャネルリソースの基本単位である。CCEは、1つ以上のリソース要素グループから構成され得る（英語：Resource Element Group、略称REG）。REGは、1つ以上のリソース要素REから構成される。REは基本リソース単位である。例えば、LTE REは、周波数領域における1つのサブキャリアかつ時間領域における1つのシンボルである。さらに、探索空間は、1つ以上のPDCCH候補リソースを含むことができ、候補リソースはアグリゲーションレベルに関連付けられ得る。アグリゲーションレベルは、1つのPDCCHを送信するCCEの数、または1つのPDCCHが運ばれるCCEリソースの数を指定できる。
【００５５】
本出願は、複数のダウンリンク制御チャネルを介して1つのキャリア上でデータをスケジューリングし、それにより情報送信効率および信頼性を改善するチャネル送信方法、ネットワークデバイス、およびシステムを開示する。本出願では、UEは、リソースを使用することにより少なくとも2つのPDCCHを取得するために、スケジューリングされるリソースがPDCCH探索空間において1つのキャリアの少なくとも2つのPDCCHにより占有されるリソースであると別々に判定し得る。このようにして、1つのUEは複数のPDCCHを受信することができる。スケジューリングされるリソースは、ダウンリンク制御チャネル上でスケジューリングされるデータにより占有されるリソースであり得る。以下は、UEが2つのPDCCHを受信する、例えば、第1の基地局によって送信された第1のPDCCHおよび第2の基地局によって送信された第2のPDCCHを受信する例を用いて詳細な説明を提供する。
【００５６】
図2は、本発明の一実施形態によるチャネル送信方法の概略的な相互作用図である。具体的には、図2に示されるように、本発明の本実施形態におけるチャネル送信方法は、以下のステップを含む。
【００５７】
101．第1の基地局が、第1の探索空間において、第1のPDCCHにより占有される第1のリソースを判定する。
【００５８】
102．第2の基地局が、第2の探索空間において、第2のPDCCHにより占有される第2のリソースを判定し、第1の探索空間は第2の探索空間と同じである。
【００５９】
第1のPDCCHによりスケジューリングされるリソースと第2のPDCCHによりスケジューリングされるリソースとが1つのキャリアに属する。スケジューリングされるリソースは、PDCCH上でスケジューリングされるデータにより占有されるリソースであり得る。場合により、第1のPDCCHおよび第2のPDCCHを送信するためのリソースが、1つのキャリア上、すなわち同じキャリア上にあってもよく、または異なるキャリア上にあってもよい。
【００６０】
場合により、第1の基地局および第2の基地局が同じ基地局であってもよい、すなわち、同じ基地局は複数のPDCCHを1つのUEに送信してもよいし、第1の基地局と第2の基地局とが異なる基地局であってもよい。さらに場合により、第3の基地局、第4の基地局などがシステムに存在してもよく、各基地局が1つ以上のPDCCHを同じUEに送信してもよい、すなわち、1つ以上の基地局が複数のPDCCHを1つのUEに送信してもよい。このことは、本発明の本実施形態において限定されない。
【００６１】
場合により、システム内の複数の基地局が複数のPDCCHをUEに送信する前に、複数の基地局は送信されるPDCCHの探索空間（「PDCCH探索空間」とも呼ばれる）をまず判定し、次いで、探索空間において、PDCCHにより占有されるリソースを判定してもよい。すなわち、本発明の本実施形態では、第1の基地局が第1のPDCCH探索空間（すなわち、第1の探索空間）を判定することができ、第2の基地局が第2のPDCCH探索空間（すなわち、第2の探索空間）を判定することができる。
【００６２】
複数のPDCCHの探索空間は同じであっても異なっていてもよい。すなわち、第1のPDCCH探索空間は、第2のPDCCH探索空間と同じであっても異なっていてもよい。
【００６３】
場合により、第1のPDCCH探索空間が第2のPDCCH探索空間と同じである場合、第1のPDCCH探索空間の判定の際、第1の基地局は、第1のパラメータに基づいて第1のPDCCH探索空間を判定することができ、第1のパラメータが、CCEの数、第1の時間要素の識別子、およびPDCCH候補位置のうちの少なくとも1つを含み得る。これに対応して、第2のPDCCH探索空間を判定するとき、第2の基地局もまた、第1のパラメータに基づいて第1のPDCCH探索空間を判定することができ、第1の基地局に対応する第1のパラメータおよび第2の基地局に対応する第1のパラメータのパラメータ値は同じであっても異なっていてもよい。換言すれば、基地局は、CCEの数、第1の時間要素の識別子、およびPDCCH候補位置などのパラメータに基づいてPDCCH探索空間を判定し得る。さらに場合により、CCEの数は、PDCCH探索空間内のCCEの数、またはPDCCH探索空間が配置される制御リソースセット（control resource set）に含まれるCCEの数であり得る。
【００６４】
具体的には、UEの同じ探索空間でPDCCHを送信する前に、基地局は、control resource set、すなわち時間−周波数リソース位置を含むPDCCH探索空間が配置されるリソース位置をまず判定することができる。例えば、周波数領域では、リソース位置は、帯域幅のある部分であってもよいし、連続したリソースブロック（英語：Resource Block、略称RB）リソースもしくは不連続なRBリソース、または1つ以上のサブバンドもしくはサブバンド部分などであってもよい。時間領域では、リソース位置は、時間要素の数、例えばサブフレーム、スロット、またはミニスロット内のシンボルの数（例えば、デフォルトで最初のいくつかのシンボル）であってもよいし、時間要素の識別子、例えば1つ以上の特定のシンボル位置であってもよい。RBは、時間−周波数リソースのサイズを測る単位である。例えば、1つのLTE RBは、周波数領域における12個のサブキャリアかつ時間領域における1つのスロットである。システムが継続的に発展すると、RBリソースブロックが再定義される場合がある。このことは、本発明の本実施形態において限定されない。従って、UEは、PDCCH探索空間を判定し、control resource setでブラインド検出を実行することができる。判定には複数の方式がある。以下の方式は、本発明の本実施形態において説明のための例として使用される。
【００６５】
基地局またはUEは、次の式に従ってPDCCH探索空間
【数１】
2020511904.tif 000003
を判定することができる。
【数２】
2020511904.tif 000004
【００６６】
Lはアグリゲーションレベル（Aggregation level）であり、Lの値は1、2、4、8、または別の値であり得る。Lは、PDCCHを送信するために使用されるCCEリソースの数を表し得る。NCCE，kは、時間要素k、例えばサブフレームkに含まれる制御領域（すなわち、制御リソースセット）のCCEの数（Size）であり、i＝0，…，L−1であり、m＝0，…，M（L）−1である。M（L）は、所与の探索空間においてリッスンされる必要があるPDCCH candidateの数、すなわち、リッスンされる必要があるPDCCH候補の数である。例えば、L、NCCE，k、およびM（L）の対応関係が表1に示され得る。
【００６７】
【表１】
2020511904.tif 000005
【００６８】
具体的には、PDCCH探索空間は、共通探索空間（Common）およびユーザ機器固有探索空間（UE−specific、すなわちUE固有探索空間）に分類され得る。共通探索空間の場合、m’＝mであり、Ykは0である。UE固有探索空間の場合、Ykは次のように定義される。Yk＝（A・Yk−1）mod D、ここでY−1＝nRNTI≠0、A＝39827、D＝65537、
【数３】
2020511904.tif 000006
nsは無線フレームのスロット（slot）番号（値の範囲は0〜19）である。場合により、探索空間は他の方式で代替的に判定されてもよい。このことは、本発明の本実施形態において限定されない。
【００６９】
換言すれば、第1の基地局および第2の基地局、すなわち複数の基地局がUEの同じPDCCH探索空間でPDCCHを送信することを確保するために、複数の基地局は、PDCCH探索空間に対応する時間単位（例えば、サブフレーム、スロット、またはミニスロット）のCCEの合計数がPDCCH探索空間に対応する別の時間単位のCCEの合計数と同じであること、すなわち探索空間内のCCEの数が同じであることを確保する必要がある、ならびに／または複数の基地局のための同じ時間領域内の時間要素の識別子が同じである必要がある、ならびに／または複数の送信されるPDCCHが異なるPDCCH候補位置にあることを確保する必要がある。
【００７０】
具体的には、第1の基地局に対応する第1のパラメータに含まれるCCEの数は、第2の基地局に対応する第1のパラメータに含まれるCCEの数と同じである。割り当てられた周波数領域リソースが、全帯域幅、部分帯域幅、サブバンドなどであることと、第1の基地局および第2の基地局に割り当てられた周波数領域リソースが同じであることと、が仮定される。シンボルの数など、第1の基地局および第2の基地局のPDCCH探索空間（制御領域）の時間要素が同じとき、制御領域のシンボルに参照信号（英語：Reference Signal、略称RS）がない場合、PDCCH探索空間に対応するCCEの数が同じであることが確保でき、また制御領域のシンボルにRSがあるが、制御領域のパイロットパターン（pattern）またはREが同じ場合、CCEの数が同じであることが確保できる。例えば、符号分割が第1の基地局および第2の基地局のRSに対して実行されてもよく、この場合、第1の基地局および第2の基地局は、具体的なパイロット系列をUEに通知する、具体的には、PDCCH探索空間が配置されるcontrol resource setの2つのパイロット系列をUEに通知する必要があり、その結果、UEは、2つのパイロット系列に基づいて2つの基地局のチャネル状態を推定でき、次いで、復号によりPDCCH探索空間において複数のPDCCHを取得するために、チャネル推定を実行できる。制御領域のシンボルにRSがあり、制御領域のpatternまたはREが異なる場合、CCEの数が同じであることがここでも確保され得る。例えば、時分割または周波数分割が第1の基地局および第2の基地局のRSに対して実行されてもよく、この場合、UEが具体的なRS位置を通知される必要があり、具体的には、PDCCH探索空間が配置されるcontrol resource setの2つのRS patternまたはREを通知される必要があり、その結果、UEは、各RS patternに基づいて参照信号位置を判定でき、復号によりPDCCH探索空間において複数のPDCCHを取得するために、チャネル推定を実行できる。図3に示されるように、左図は時分割の解決策であり、右図は周波数分割の解決策であり、基地局のRSは異なるシンボル位置を占有する。場合により、次の2つの処理方法が異なる基地局のRS位置に使用される、すなわち、第2の基地局が第1の基地局のRS位置で信号を送信せず、これにより、基地局のパイロット間の干渉がなくなることが確保され、それにより復調性能が改善する、または、第2の基地局が第1の基地局のRS位置で信号を通常送信し、その結果、UEがRS位置でRSをまず復号し、RSを後で除去し、次いで所望の信号を復号することができ、それにより情報送信の信頼性が改善する。
【００７１】
さらに場合により、第1の基地局は、第2の基地局に指示メッセージをさらに送信することができ、指示メッセージが、第1のPDCCHに対応する第1の時間要素情報を指示するために使用され、第2の基地局は、第2のPDCCHに対応する第2の時間要素情報を指示するために、第1の基地局に指示メッセージをさらに送信することができ、第1の基地局は、第2の基地局によって送信された第2の時間要素情報を受信し、第2の時間要素情報が、第2のPDCCHに対応する時間要素情報であり、第1の基地局は、第1の時間要素情報および第2の時間要素情報に基づいて、第1のPDCCH探索空間に対応するCCEの数を判定することができ、第2の基地局は、第1の時間要素情報および第2の時間要素情報に基づいて、第2のPDCCH探索空間に対応するCCEの数を判定することができる。第1の時間要素情報または第2の時間要素情報は、第2の時間要素の数または第2の時間要素の識別子を含む。
【００７２】
場合により、指示メッセージなど、本発明の本実施形態におけるメッセージは、上位層情報、例えば、システムメッセージ、無線リソース制御（英語：Radio Resource Control、略称RRC）シグナリング、または媒体アクセス制御（英語：Medium Access Control、略称MAC）シグナリングであってもよい。あるいは、場合により、指示メッセージは、物理層シグナリング、例えば物理層ダウンリンク制御情報（英語：Downlink Control Information、略称DCI）などであってもよい。このことは、本発明の本実施形態において限定されない。
【００７３】
換言すれば、第1の基地局と第2の基地局とのPDCCH探索空間（制御領域）のシンボルの数が異なる場合、基地局は、UEに割り当てられたCCEの合計数が同じであることを確保するために、シンボルまたはシンボル識別子のそれぞれの数などの基地局の時間要素情報を交換することができる。例えば、第1の基地局および第2の基地局は、CCEの数を判定するためのシンボルの数として、2つの基地局のシンボルの数のうちの小さい方を使用してもよい。
【００７４】
場合により、複数の基地局の時間要素の識別子の規則の一貫した理解のために、第1のPDCCHの時間要素の識別子または第2のPDCCHの時間要素の識別子は、第1のリソースのサブキャリア間隔および第2のリソースのサブキャリア間隔に基づいて判定され得る。あるいは、第1のPDCCHの時間要素の識別子は、事前設定されたサブキャリア間隔に対応する時間要素のうち、第1のPDCCHの時間要素に対応する時間要素の識別子に基づいて判定されてもよく、第2のPDCCHの時間要素の識別子は、事前設定されたサブキャリア間隔に対応する時間要素のうち、第2のPDCCHの時間要素に対応する時間要素の識別子に基づいて判定されてもよい。従って、同じ時間領域内の時間要素の識別子が、複数の基地局、すなわちチャネル送信システム内の複数の協調基地局に対して同じであることが確保され得る。
【００７５】
具体的には、異なる基地局が異なるサブフレームで異なるフレーム構造を使用する場合があり、フレーム構造はサブキャリア間隔に関連付けられる。図4は、15kHzのサブキャリア間隔、30kHzのサブキャリア間隔、および60kHzのサブキャリア間隔に対応するサブフレームの概略図である。従って、制御領域における時間要素の識別子、例えばスロット番号の判定の際、各サブキャリア間隔に対応するスロット番号が使用され得る。異なるサブキャリア間隔に対応する時間領域の長さは比例し、従って、異なるサブキャリア間隔に対応するスロット番号に対して次の同じ処理が実行され得る。例えば、サブキャリア間隔が15kHzの場合、時間変数は
【数４】
2020511904.tif 000007
であり、サブキャリア間隔が15＊2n kHzの場合、時間変数は
【数５】
2020511904.tif 000008
であり、サブキャリア間隔が15＊2nkHzの場合、時間変数は
【数６】
2020511904.tif 000009
であり、nsはスロット番号またはミニスロット番号である。あるいは、スロット番号の判定の際、事前設定されたサブキャリア間隔、例えば15kHzのサブキャリア間隔に対応するスロット番号が直接使用されてもよく、1つのスロットが複数のミニスロットを含む場合、探索空間は、15kHzのサブキャリア間隔に対応するミニスロット番号（nmini＿s）に基づいて判定され得る。
【００７６】
さらに場合により、第1の基地局は第1のパラメータをUEにさらに送信することができ、第2の基地局は第1のパラメータをUEにさらに送信することができ、その結果、UEが、受信される必要のあるPDCCHの探索空間を迅速に判定する。
【００７７】
場合により、第1のPDCCHの候補位置は第2のPDCCHの候補位置とは異なり、第1のPDCCHの候補位置または第2のPDCCHの候補位置が、候補位置パラメータ、すなわち第2のパラメータに基づいて判定され、第2のパラメータが、基地局種別、基地局識別子、およびアグリゲーションレベルのうちの少なくとも1つを含み得る。
【００７８】
具体的には、異なる基地局がUEの同じPDCCH探索空間でPDCCHを送信することを確保するために、第1の基地局および第2の基地局は、決定を通じて、PDCCHが同じ候補位置で送信されないことをさらに確保する必要がある。場合により、REGからCCEへのマッピングおよびCCEから探索空間候補へのマッピングは、第1の基地局と第2の基地局との間で交換され得る、または第1の基地局および第2の基地局により事前定義され得る。各CCEは、4〜8個のREGまたは他の数のREGを含み得る。REGからCCEへのマッピングは、局所マッピングまたは分散マッピングであり得る。REGからCCEへのマッピングは、周波数第1・時間第2（frequency−first，time−second）方式であってもよいし、時間第1・周波数第2（time−first，frequency−second）方式であってもよい。CCEから探索空間へのマッピングは、周波数第1・時間第2方式であってもよいし、時間第1・周波数第2方式であってもよい。このことは、本発明の本実施形態において限定されない。
【００７９】
さらに、第1のPDCCHのアグリゲーションレベルと第2のPDCCHのアグリゲーションレベルとは同じであっても異なっていてもよい。2つのPDCCHのアグリゲーションレベルが同じである場合、基地局は、事前定義された方式で、または基地局間の相互作用を通じて、基地局により占有される候補空間（候補位置）を判定し得る。例えば、次のように事前定義できる、すなわち、図5aに示されるように、第1の基地局（TP1、例えばサービング基地局）が前半を占有し、第2の基地局（TP2、例えば協調基地局）が後半を占有するように事前定義できる、または交差方式として事前定義できる、すなわち、図5bに示されるように、第1の基地局が候補1、3、および5を占有し、第2の基地局が候補2、4、および6を占有するように事前定義できる。あるいは、判定は、基地局番号に基づいて行うこともできる（例えば、第1の基地局の番号が0であり、第2の基地局の番号が1である）、すなわち、小さい番号が前半を使用し、大きい番号が後半を使用する。あるいは、基地局は、使用される候補空間を交換してもよい。2つのPDCCHのアグリゲーションレベルが異なる場合、図5cに示されるように、低アグリゲーションレベル（Lower L）が前半の候補空間を使用し、高アグリゲーションレベル（Higher L）が後半の候補空間を使用するように事前定義されてもよいし、低アグリゲーションレベルが後半の候補空間を使用し、高アグリゲーションレベルが前半の候補空間を使用するように事前定義されてもよいし、基地局が、基地局によって使用される候補空間を交換してもよい、などである。高／低アグリゲーションレベルLは、基地局間で交換されるか、基地局によって事前定義される。例えば、L＝1および2が低アグリゲーションレベルを表し、L＝4および8が高アグリゲーションレベルを表すことが事前定義されてもよく、L＝1、2、および4が低アグリゲーションレベルを表し、L＝8、16、および32が高アグリゲーションレベルであることが事前定義されてもよい、などである。さらに場合により、2つの基地局のチャネル特性が大きく異なる場合、基地局は、2つのPDCCHのアグリゲーションレベルが異なることをUEに事前に通知してもよい。図5aまたは図5bまたは図5cの正方形のボックスは、1つのCCEを表し得る。
【００８０】
さらに場合により、第1の基地局および第2の基地局は、基地局種別、基地局識別子、およびアグリゲーションレベルなど、第1の基地局および第2の基地局のパラメータをUEに通知するために、第2のパラメータをUEにさらに送信してもよい。従って、UEが、基地局種別、基地局識別子、およびアグリゲーションレベルなどのパラメータに基づいてブラインド検出を実行する場合、UEが1つのPDCCHを検出した後、他のPDCCHのブラインド検出範囲を縮小することができ、その結果、より少ないブラインド検出が実行され、UEオーバーヘッドが削減される。
【００８１】
103．第1の基地局は、第1のリソースを使用することにより第1のPDCCHをUEに送信する。
【００８２】
104．第2の基地局は、第2のリソースを使用することにより第2のPDCCHをUEに送信する。
【００８３】
第1のリソースは、時間−周波数領域リソース（時間領域リソースおよび／または周波数領域リソース）であってもよいし、符号分割リソースであってもよい。場合により、第1のPDCCHと第2のPDCCHとは、同じビームを介して送信されてもよいし、異なるビームを介して送信されてもよい。このことは、本発明の本実施形態において限定されない。
【００８４】
さらに場合により、1つ以上の基地局が、受信される必要があるPDCCHの数または探索空間の数をUEにさらに通知することができ、その結果、UEは、その数に基づいてPDCCHを受信する（受信したPDCCHの数は通知された数を超えない）、または複数の基地局が、受信可能なPDCCHの数またはUEによって送信されたチェックされた探索空間の数を指示するために使用されるメッセージを受信することができ、その結果、基地局が、その数に基づいてPDCCHを送信することができる（送信されたPDCCHの数は、メッセージで指示された数を超えない）。さらに、複数の基地局は、各基地局によって送信されるPDCCHの数を判定し、次いでPDCCH探索空間を構成するために、その数に基づいて相互作用を実行することができ、それにより、UEのブラインド検出を減らし、UEオーバーヘッドを減らし、PDCCH送信の信頼性を改善することができる。
【００８５】
105．UEは、第1のPDCCHの第1の探索空間と第2のPDCCHの第2の探索空間とを判定する。
【００８６】
106．UEは、第1の探索空間において、第1のPDCCHにより占有される第1のリソースを判定し、第2の探索空間において、第2のPDCCHにより占有される第2のリソースを判定する。
【００８７】
具体的には、PDCCH探索空間を判定するとき、UEは、PDCCH探索空間が配置される制御リソースセットcontrol resource setを判定してもよい。制御リソースセットは、制御チャネルを送信するための時間−周波数リソース位置を含むリソース位置である。例えば、周波数領域では、リソース位置は、全帯域幅であってもよいし、連続したRBリソースもしくは不連続なRBリソース、または1つ以上のサブバンドもしくはサブバンド部分などであってもよい。時間領域では、リソース位置は、サブフレーム、スロット、またはミニスロットなどの時間要素のシンボルの数（例えば、デフォルトでは最初のいくつかのシンボル）であってもよいし、1つ以上の特定のシンボル位置であってもよい。次いで、UEは、PDCCH探索空間を判定し、control resource setでブラインド検出を実行することができる。場合により、control resource setを判定した後、基地局は、control resource setの位置を指示するために、control resource setの構成情報をUEにさらに送信してもよい。UEが、control resource setを判定するために構成情報を受信してもよいし、control resource setが事前定義されていてもよい。
【００８８】
場合により、少なくとも2つのPDCCHのPDCCH探索空間、例えば第1のPDCCH探索空間および第2のPDCCH探索空間を判定するとき、UEは、第1のパラメータに基づいて第1のPDCCH探索空間および第2のPDCCH探索空間を判定することができ、第1のパラメータが、CCEの数、第1の時間要素の識別子、およびPDCCH候補位置のうちの少なくとも1つを含み得る。場合により、第1のパラメータは少なくとも1つの基地局によってUEに送信されてもよく、例えば、UEは第1のPDCCH探索空間を指示するために第1の基地局によって送信された第1のパラメータを受信することができ、UEは第2のPDCCH探索空間を指示するために第2の基地局によって送信される第1のパラメータをさらに受信することができる、または第1のパラメータは、事前設定された規則に従ってUEによって判定されてもよい、または第1のパラメータは、事前のネゴシエーションを通じて基地局およびUEによって判定されてもよい。このことは、本発明の本実施形態において限定されない。
【００８９】
場合により、第1のPDCCH探索空間が第2のPDCCH探索空間と同じであることを確保するために、第1のPDCCH探索空間のCCEの数が第2のPDCCH探索空間のCCEの数と同じである、または第1のPDCCHの時間要素の識別子および第2のPDCCHの時間要素の識別子が、第1のPDCCHにより占有されるリソースのサブキャリア間隔および第2のPDCCHにより占有されるリソースのサブキャリア間隔に基づいてそれぞれ判定される、または第1のPDCCHの時間要素の識別子が、事前設定されたサブキャリア間隔に対応する時間要素のうち、第1のPDCCHの時間要素に対応する時間要素の識別子に基づいて判定されてもよく、第2のPDCCHの時間要素の識別子が、事前設定されたサブキャリア間隔に対応する時間要素のうち、第2のPDCCHの時間要素に対応する時間要素の識別子に基づいて判定される、または第1のPDCCHの候補位置が第2のPDCCHの候補位置とは異なり、候補位置が候補位置パラメータ、すなわち第2のパラメータに基づいて判定されてもよく、第2のパラメータが基地局種別、基地局識別子、およびアグリゲーションレベルのうちの少なくとも1つを含むことができる。
【００９０】
具体的には、第1のPDCCHの候補位置が第2のPDCCHの候補位置とは異なり、従って、UEは各PDCCHの候補位置に基づいてブラインド検出を実行することができる。例えば、図5aまたは図5cに示される半半に分割する解決策では、UEが前半でPDCCHを検出した場合、次に、UEは後半候補領域のみで検出を実行することができ、UEが後半でPDCCHを検出した場合、次に、UEは前半候補領域のみで検出を実行することができる。別の例では、図5bに示す交差分割の解決策では、UEが第1、第3、第5．．．の候補領域でPDCCHを検出した場合、次に、UEは、第2、第4、第6．．．の候補領域のみで検出を実行できる。さらに別の例では、低アグリゲーションレベルの場合、UEは前半の探索空間候補のみで検出を実行でき、高アグリゲーションレベルの場合、UEは後半の探索空間候補のみで検出を実行できる。さらに別の例では、2つのPDCCH探索空間のアグリゲーションレベルが同じである場合、UEは、基地局の番号に基づいて検出を実行することもできる（例えば、第1の基地局の番号が0であり、第2の基地局の番号が1である）、すなわち、小さい番号の場合は前半で検出を実行し、大きい番号の場合は後半で検出を実行する、などである。このように、UEが、ブラインド検出を実行する場合、UEが1つのPDCCHを検出した後、他のPDCCHのブラインド検出範囲を縮小でき、その結果、より少ないブラインド検出が実行され、UEオーバーヘッドが削減される。
【００９１】
107．UEは、第1のリソースを使用することにより第1のPDCCHを取得し、第2のリソースを使用することにより第2のPDCCHを取得する。
【００９２】
場合により、ブラインド検出の最大数が設定されてもよく、ブラインド検出の最大数に達した場合、UEはブラインド検出を停止する。このようにして、ブラインド検出をさらに減らすことができ、UEのオーバーヘッドを減らすことができる。場合により、ブラインド検出の最大数は、プロトコルで事前定義されてもよいし、UEによってカスタマイズされてもよいし、基地局から通知されるなどしてもよい。このことは、本発明の本実施形態において限定されない。
【００９３】
さらに場合により、探索空間は、アグリゲーションレベル、PDCCHの数、制御情報フォーマット、制御情報サイズ、および探索空間の数のうちの少なくとも1つに基づいて判定され得る。例えば、アグリゲーションレベル、PDCCHの数、制御情報フォーマット、制御情報サイズ、および探索空間の数は、基地局によってUEに通知されてもよく、例えば、基地局がcontrol resource setを判定した場合にUEに通知されてもよい（例えば、control resource setの構成情報で運ばれる）。制御情報は、ダウンリンク制御チャネル、例えば、本発明の本実施形態におけるPDCCHで運ばれる制御情報であってもよい。制御情報は、例えば、DCIであってもよい。
【００９４】
例えば、第1の基地局または第2の基地局は、control resource setを構成（判定）するときに、1つ以上のアグリゲーションレベルをUEに通知してもよい。例えば、第1の基地局または第2の基地局は、アグリゲーションレベルを4に構成することができ、UEは、監視の際に、アグリゲーションレベル4に対応する候補のみを検出する、または第1の基地局または第2の基地局は、4、8、および16などの複数のアグリゲーションレベルを構成することができ、UEは、監視の際に、指示されたアグリゲーションレベルに対応する候補のみを検出する。このようにして、より少ないブラインド検出が実行される。
【００９５】
別の例では、第1の基地局または第2の基地局は、control resource setについて監視される必要があるPDCCHの数をUEに通知してもよい。例えば、UEが1つのPDCCHを監視するように構成される場合、UEは、1つのPDCCHが検出されるか、ブラインド検出の最大数に達するかした後、監視を停止し、UEが2つのPDCCHを監視するように構成される場合、UEは、2つのPDCCHが検出された後またはブラインド検出の最大数に達した後、監視を停止する。
【００９６】
さらに別の例では、第1の基地局または第2の基地局は、control resource setについて監視される必要があるPDCCHの数および対応するアグリゲーションレベルをUEに通知してもよい。例えば、UEが1つのPDCCHを検出し、対応するアグリゲーションレベルが4であると構成される場合、UEは、アグリゲーションレベル4に対応する候補のみで監視を実行し、UEは、1つのPDCCHが検出された後もしくはブラインド検出の最大数に達した後、監視を停止する、またはUEが1つのPDCCHを検出し、対応するアグリゲーションレベルが4、8、および16などの複数のアグリゲーションレベルであると構成される場合、UEは、指示されたアグリゲーションレベルに対応する候補のみで監視を実行し、UEは、1つのPDCCHが検出された後もしくはブラインド検出の最大数に達した後、監視を停止する、または第1の基地局または第2の基地局が、UEが2つのPDCCHを検出し、2つのPDCCHに対応するアグリゲーションレベルが同じであると構成し得る場合、例えば、対応するアグリゲーションレベルが4の場合、UEは、アグリゲーションレベル4に対応する候補のみで監視を実行することができ、UEは、2つのPDCCHが検出された後もしくはブラインド検出の最大数に達した後、監視を停止する、またはUEが2つのPDCCHを検出し、2つのPDCCHに対応するアグリゲーションレベルが同じであると構成される場合、例えば、対応するアグリゲーションレベルが4、8、および16などの複数のアグリゲーションレベルである場合、UEは、指示されたアグリゲーションレベルに対応する候補でのみ監視を実行し、UEは、2つのPDCCHが検出された後もしくはブラインド検出の最大数に達した後、監視を停止する、または第1の基地局もしくは第2の基地局が、UEが2つのPDCCHを検出し、2つのPDCCHに対応するアグリゲーションレベルが異なると構成し得る場合、例えば、第1のPDCCHに対応するアグリゲーションレベルが4であり、第2のPDCCHに対応するアグリゲーションレベルが8である場合、UEは、第1のPDCCHについてアグリゲーションレベル4に対応する候補のみで監視を実行し、1つのPDCCHが検出された後もしくはブラインド検出の最大数に達した後、UEは、第2のPDCCHについてアグリゲーションレベル8に対応する候補のみで監視を実行し、1つのPDCCHが検出された後もしくはブラインド検出の最大数に達した後、監視を停止し、第1のPDCCHと第2のPDCCHとの検出順序は限定されない。あるいは、第1の基地局または第2の基地局が、UEが2つのPDCCHを検出し、2つのPDCCHに対応するアグリゲーションレベルが異なると構成し得る場合、例えば、第1のPDCCHに対応するアグリゲーションレベルが、4、8、および16などの複数のアグリゲーションレベルであり、第2のPDCCHに対応するアグリゲーションレベルが、8、16、および32などの複数のアグリゲーションレベルである場合、UEは、第1のPDCCHについて4、8、および16などの指示されたアグリゲーションレベルに対応する候補のみで監視を実行することができ、1つのPDCCHが検出された後もしくはブラインド検出の最大数に達した後、UEは、第2のPDCCHについて8、16、および32などの指示されたアグリゲーションレベルに対応する候補のみで監視を実行し、1つのPDCCHが検出された後もしくはブラインド検出の最大数に達した後、監視を停止し、第1のPDCCHおよび第2のPDCCHの検出順序は制限されず、同時に検出されてもよい。例えば、2つのPDCCHのアグリゲーションレベルが同じ場合、検出は2つのPDCCHで同時に実行され得る。このことは、本発明の本実施形態において限定されない。
【００９７】
さらに場合により、第1の基地局または第2の基地局は、control resource setの制御情報フォーマットまたは制御情報サイズのうちの少なくとも1つをUEにさらに通知することができる。例えば、UEは、制御情報フォーマットがDCI format 2Dであるか、制御情報サイズがAであるPDCCHを検出し、Aの値が、20bit、40bit、または別の値であり得ると構成される。場合により、第1の基地局または第2の基地局は、複数の探索空間または複数のPDCCHに対して複数の制御情報数または複数の制御情報サイズに関する情報を構成してもよいし、複数の探索空間または複数のPDCCHに対して1つの制御情報数または1つの情報サイズに関する情報を構成してもよいし、1つの探索空間または1つのPDCCHに対して複数の制御情報数または複数の制御情報サイズに関する情報を構成してもよいし、制御情報数または制御情報サイズが事前定義されていてもよい。このことは、本発明の本実施形態において限定されない。このようにして、UEはPDCCHの検出および復号を迅速に実行できる。
【００９８】
さらに場合により、第1の基地局または第2の基地局は、control resource setの探索空間の数をUEにさらに通知することができ、1つの探索空間は1つ以上のPDCCHを含むことができる。さらに、第1の基地局または第2の基地局は、探索空間のためのPDCCHの数および対応するアグリゲーションレベル、制御情報フォーマット、制御情報サイズなどをさらに通知してもよい。詳細については、上記の説明を参照されたい。ここではこれ以上詳細を説明しない。
【００９９】
換言すれば、各PDCCHの探索空間を判定した後、UEは、探索空間においてブラインド検出を実行し、リソースを使用することによりPDCCHを取得するために、探索空間においてPDCCHにより占有されるリソースをさらに判定することができる。
【０１００】
本発明の本実施形態では、複数の基地局が、UEの同じPDCCH探索空間で複数のPDCCHをUEに送信でき、その結果、UEは、複数のPDCCHを受信し、複数のPDCCHを介して1つのキャリアでデータをスケジューリングできる。これは、情報送信効率および情報送信の信頼性を改善する。本発明の本実施形態では、複数のPDCCHの探索空間候補が設計され、複数のPDCCHのCCEが重ならないように設計される。これは、複数のPDCCHの送信をサポートできないという従来技術の問題を解決し、UEのブラインド検出を減らし、UEのブラインド検出効率を改善する。
【０１０１】
図6は、本発明の一実施形態による別のチャネル送信方法の概略的な相互作用図である。具体的には、図6に示されるように、本発明の本実施形態におけるチャネル送信方法は、以下のステップを含む。
【０１０２】
201．第1の基地局が、第1の探索空間において、第1のPDCCHにより占有される第1のリソースを判定する。
【０１０３】
202．第2の基地局が、第2の探索空間において、第2のPDCCHにより占有される第2のリソースを判定し、第1の探索空間は第2の探索空間とは異なる。
【０１０４】
第1のPDCCHによりスケジューリングされるリソースと第2のPDCCHによりスケジューリングされるリソースとが1つのキャリアに属する。スケジューリングされるリソースは、PDCCH上でスケジューリングされるデータにより占有されるリソースであり得る。場合により、第1のPDCCHおよび第2のPDCCHを送信するためのリソースが、1つのキャリア上、すなわち同じキャリア上にあってもよく、または異なるキャリア上にあってもよい。
【０１０５】
場合により、通信システム内の複数の基地局が複数のPDCCHをUEに送信する前に、複数の基地局は送信されるPDCCHの探索空間をまず判定し、次いで、探索空間において、PDCCHにより占有されるリソースを判定してもよい。すなわち、本発明の本実施形態では、第1の基地局が第1のPDCCH探索空間（すなわち、第1の探索空間）を判定することができ、第2の基地局が第2のPDCCH探索空間（すなわち、第2の探索空間）を判定することができる。
【０１０６】
複数のPDCCHの探索空間は同じであっても異なっていてもよい。すなわち、第1のPDCCH探索空間は、第2のPDCCH探索空間と同じであっても異なっていてもよい。
【０１０７】
場合により、第1のPDCCH探索空間が第2のPDCCH探索空間とは異なる場合、第1のPDCCH探索空間の判定の際、第1の基地局は、第1のPDCCH探索空間により占有される第3のリソースを判定し、第3のリソースに基づいて第1のPDCCH探索空間を判定してもよい。これに対応して、第2のPDCCH探索空間の判定の際、第2の基地局は、第2のPDCCH探索空間により占有される第4のリソースを判定し、第4のリソースに基づいて第2のPDCCH探索空間を判定してもよい。PDCCH探索空間により占有されるリソース、すなわち、第3のリソースおよび／または第4のリソースは、周波数領域リソースまたは時間領域リソースを含み得る。従って、異なるPDCCHが、異なる時間領域リソースまたは周波数領域リソースで送信され得、UEは複数のPDCCHを受信できる。
【０１０８】
さらに場合により、第1のPDCCH探索空間が第2のPDCCH探索空間とは異なる場合、第1のPDCCHおよび第2のPDCCHは、周波数領域リソースに基づいて区別され得る。例えば、図7に示されるように、第1のPDCCH探索空間と第2のPDCCH探索空間とは異なる周波数領域リソースを占有し得る。
【０１０９】
オプションの実装形態では、第3のリソースに基づいて第1のPDCCH探索空間を判定するときに、第1の基地局が、第1のリソース構成情報を判定し、第1のリソース構成情報に基づいて第1のPDCCH探索空間を判定することができ、第1のリソース構成情報が、第1のPDCCH探索空間が配置される制御リソースセットにより占有されるリソースに関する情報を含み得る。これに対応して、第4のリソースに基づいて第2のPDCCH探索空間を判定するときに、第2の基地局が、第4のリソース構成情報を判定し、第4のリソース構成情報に基づいて第2のPDCCH探索空間を判定することができ、第4のリソース構成情報が、第2のPDCCH探索空間が配置される制御リソースセットにより占有されるリソースに関する情報を含む。さらに場合により、第1のリソース構成情報および／または第4のリソース構成情報は、CCE識別子、例えばCCE番号情報をさらに含むことができる。
【０１１０】
さらに場合により、第1の基地局は、第1の通知メッセージをUEにさらに送信することができ、第1の通知メッセージが、第1のリソース構成情報を指示するために使用され、第2の基地局は、第4の通知メッセージをUEにさらに送信することができ、第4の通知メッセージが、第4のリソース構成情報を指示するために使用される。従って、UEは、第1のリソース構成情報および第4のリソース構成情報に基づいて2つのPDCCH探索空間を判定することができる。さらに、第1の通知メッセージまたは第4の通知メッセージは、第1の基地局または第2の基地局がcontrol resource setを構成するとき、第1の基地局または第2の基地局によってUEに送信され得る。例えば、第1のリソース構成情報または第4のリソース構成情報は、control resource setの構成情報で運ばれ、UEに送信され得る。control resource setの構成情報は、PDCCHの数、探索空間の数、アグリゲーションレベル、制御情報フォーマット、および制御情報サイズなどの情報をさらに含むことができる。特定の構成方法については、上記の実施形態を参照されたい。ここではこれ以上詳細を説明しない。
【０１１１】
具体的には、第1のPDCCH探索空間および第2のPDCCH探索空間は、2つのcontrol resource setに配置されてもよく、2つのsetの周波数領域リソースは重ならない、すなわち、2つのPDCCH探索空間が配置されるcontrol resource setは異なる。さらに、各setのCCEは、例えば0から始めて、番号付けされ得る。図8aに示されるように、第1の基地局はcontrol resource set 1（制御リソースセット1）でPDCCH（探索空間1）を送信し、第2の基地局はcontrol resource set 2（制御リソースセット2）でPDCCH（探索空間2）を送信する。従って、UEは、番号に基づいて探索空間位置を計算し、探索空間候補に対してブラインド検出を実行することができる。あるいは、2つのcontrol resource setのCCEが一緒に番号付けされてもよい。本発明の本実施形態では、control resource setの数およびCCE番号付け方式は限定を課されない。
【０１１２】
オプションの実装形態では、第3のリソースに基づいて第1のPDCCH探索空間を判定するときに、第1の基地局が、第2のリソース構成情報を判定し、第2のリソース構成情報に基づいて第1のPDCCH探索空間を判定することができ、第2のリソース構成情報が、第1のPDCCH探索空間が配置される制御リソースセットにより占有されるリソースに関する情報、制御リソースセットの識別子、および第1のオフセット値のうちの少なくとも1つを含むことができ、第1のオフセット値が、制御リソースセットの識別子に基づいて判定され得る。これに対応して、第4のリソースに基づいて第2のPDCCH探索空間を判定するときに、第2の基地局が、第5のリソース構成情報を判定し、第5のリソース構成情報に基づいて第2のPDCCH探索空間を判定することができ、第5のリソース構成情報が、第2のPDCCH探索空間が配置される制御リソースセットにより占有されるリソースに関する情報、制御リソースセットの識別子、および第1のオフセット値のうちの少なくとも1つを含み、第1のオフセット値が、制御リソースセットの識別子に基づいて判定され得る。さらに場合により、第2のリソース構成情報および／または第5のリソース構成情報は、CCE識別子、例えばCCE番号情報をさらに含むことができる。
【０１１３】
さらに場合により、第1の基地局は、第2の通知メッセージをUEにさらに送信することができ、第2の通知メッセージが、第2のリソース構成情報を指示するために使用され、第2の基地局は、第5の通知メッセージをUEにさらに送信することができ、第5の通知メッセージが、第5のリソース構成情報を指示するために使用される。従って、UEは、第2のリソース構成情報および第5のリソース構成情報に基づいて2つのPDCCH探索空間を判定することができる。さらに、第2の通知メッセージまたは第5の通知メッセージは、第1の基地局または第2の基地局がcontrol resource setを構成するとき、第1の基地局または第2の基地局によってUEに送信され得る。例えば、第2のリソース構成情報または第5のリソース構成情報は、control resource setの構成情報で運ばれ、UEに送信され得る。control resource setの構成情報は、PDCCHの数、探索空間の数、アグリゲーションレベル、制御情報フォーマット、および制御情報サイズなどの情報をさらに含むことができる。特定の構成方法については、上記の実施形態を参照されたい。ここではこれ以上詳細を説明しない。
【０１１４】
具体的には、第1のPDCCH探索空間および第2のPDCCH探索空間は、2つのcontrol resource set、すなわち、control resource set 1（制御リソースセット1）およびcontrol resource set 2（制御リソースセット2）に配置されてもよく、2つのセットのリソースは完全に重なり得る。さらに、PDCCH探索空間のCCE番号は、セット番号に関連付けられ得る。例えば、1つの第1のオフセット値offset 1が構成され、第1のsetに対応する第1のPDCCH探索空間のCCE番号が式に従って判定され、第2のsetに対応するPDCCH探索空間のCCE番号が値offset 1だけ増加し得る。例えば、第1のsetのCCE番号が1である場合、第2のsetの計算されたCCE番号は1＋offset 1になり得る。offset 1は固定値であってもよいし、シグナリングを介して基地局によりUEに通知されてもよい。例えば、offset 1は、8、16、32、または64などの整数であり得る。さらに、offset 1は、set番号に基づいて代替的に判定されてもよい。例えば、offset 1＝N＊Mであり、Nはset番号、Mは8、16、32、または64などの整数であるオフセット差である。図8bに示されるように、最も大きい円は、control resource set 1のリソース位置を示し、これはcontrol resource set 2のリソース位置でもあり、上方にある円は、control resource set 1の探索空間（探索空間1）、すなわち、第1のPDCCH探索空間のCCE位置を示しており、下方にある円は、control resource set 2の探索空間（探索空間1）、すなわち、第2のPDCCH探索空間のCCE位置を示しており、CCE番号は値offset 1だけ増加する。
【０１１５】
オプションの実装形態では、第3のリソースに基づいて第1のPDCCH探索空間を判定するときに、第1の基地局が、第3のリソース構成情報を判定し、第3のリソース構成情報に基づいて第1のPDCCH探索空間を判定することができ、第3のリソース構成情報が、第1のPDCCH探索空間が配置される制御リソースセットにより占有されるリソースに関する情報、第1のPDCCH探索空間の識別子、および第2のオフセット値のうちの少なくとも1つを含み、第2のオフセット値が、第1のPDCCH探索空間の識別子に基づいて判定される。これに対応して、第4のリソースに基づいて第2のPDCCH探索空間を判定するときに、第2の基地局が、第6のリソース構成情報を判定し、第6のリソース構成情報に基づいて第2のPDCCH探索空間を判定することができ、第6のリソース構成情報が、第2のPDCCH探索空間が配置される制御リソースセットにより占有されるリソースに関する情報、第2のPDCCH探索空間の識別子、および第2のオフセット値のうちの少なくとも1つを含み、第2のオフセット値が、第2のPDCCH探索空間の識別子に基づいて判定される。さらに場合により、第3のリソース構成情報および／または第6のリソース構成情報は、CCE識別子、例えばCCE番号情報をさらに含むことができる。
【０１１６】
さらに場合により、第1の基地局は、第3の通知メッセージをUEにさらに送信することができ、第3の通知メッセージが、第3のリソース構成情報を指示するために使用され、第2の基地局は、第6の通知メッセージをUEにさらに送信することができ、第6の通知メッセージが、第6のリソース構成情報を指示するために使用される。従って、UEは、第3のリソース構成情報および第6のリソース構成情報に基づいて2つのPDCCH探索空間を判定することができる。さらに、第3の通知メッセージまたは第6の通知メッセージは、第1の基地局または第2の基地局がcontrol resource setを構成するとき、第1の基地局または第2の基地局によってUEに送信され得る。例えば、第3のリソース構成情報または第6のリソース構成情報は、control resource setの構成情報で運ばれ、UEに送信されてもよいし、第3のリソース構成情報または第6のリソース構成情報は、探索空間の構成情報で運ばれてもよい（例えば、第3のリソース構成情報は、第1の探索空間の構成情報で運ばれ、第6のリソース構成情報は第2の探索空間の構成情報で運ばれる）。さらに場合により、control resource setの構成情報または探索空間の構成情報は、PDCCHの数、探索空間の数、探索空間の番号、アグリゲーションレベル、制御情報フォーマット、および制御情報サイズなどの情報をさらに含むことができる。特定の構成方法については、上記の実施形態を参照されたい。ここではこれ以上詳細を説明しない。
【０１１７】
具体的には、第1のPDCCH探索空間（search space 1、探索空間1）および第2のPDCCH探索空間（search space 2、探索空間2）は、1つのcontrol resource set（control resource set 1、制御リソースセット1）に配置され得る。さらに、PDCCH探索空間のCCE番号は、探索空間の番号に関連付けられ得る。例えば、1つの第2のオフセット値offset 2が探索空間の構成情報に構成され得る。具体的には、例えば、第1の探索空間のoffset 2は0に構成され、第2の探索空間のoffset 2は値offset 2に構成される。第1のPDCCH探索空間のCCE番号が式に従って判定されてよく、第2のPDCCH探索空間のCCE番号が値offset 2だけ増加し得る。例えば、第1のPDCCH探索空間の計算されたCCE番号が1である場合、第2のPDCCH探索空間のCCE番号は1＋offset 2であり得る。offset 2は固定値であってもよいし、シグナリングを介して基地局によりUEに通知されてもよい。例えば、offset 2は、8、16、32、または64などの整数であり得る。offset 2は、PDCCH探索空間の番号に関連付けされ得る。例えば、offset 2＝N＊Mであり、Nは探索空間search spaceの番号であり、Mは8、16、32、または64などの整数であるオフセット差である。図8cに示されるように、最も大きい円は、control resource set 1のリソース位置を示し、上方にある円は、control resource set 1のsearch space 1のCCE位置を示しており、下方にある円は、control resource set 2のsearch space 2のCCE位置を示しており、対応するCCE番号は値offset 2だけ増加する。
【０１１８】
さらに場合により、異なるcontrol resource setについて、第1の基地局または第2の基地局は、REGからCCEへのマッピングおよびCCEから探索空間候補へのマッピングを実行してもよい。マッピングは、局所マッピングまたは分散マッピングであり得る。
【０１１９】
場合により、第1の基地局は、第7の通知メッセージをUEにさらに送信することができ、第7の通知メッセージは、第1のPDCCH探索空間により占有される第3の時間要素の識別子を含み、第2の基地局は、第8の通知メッセージをUEにさらに送信することができ、第8の通知メッセージは、第2のPDCCH探索空間により占有される第4の時間要素の識別子を含む。
【０１２０】
換言すれば、第3のリソースは時間領域リソースを含むことができ、第1のPDCCH探索空間が第2のPDCCH探索空間とは異なる場合、第1のPDCCH探索空間と第2のPDCCH探索空間とは、時間領域リソースに基づいてさらに区別され得る。例えば、第1のPDCCH探索空間と第2のPDCCH探索空間とは異なる時間領域リソースを占有してもよい。図9に示されるように、第1のPDCCH探索空間または第1のPDCCH（PDCCH 1）によって使用される時間要素の位置は、第2のPDCCH探索空間または第2のPDCCH（PDCCH 2）によって使用される時間要素の位置とは区別され得る。時間要素に対応する時間単位は、サブフレーム、スロット、ミニスロット、シンボルなどであり得る。図9では、シンボルである時間単位が例として使用されている。例えば、第1のPDCCH探索空間は第1のシンボルに対応するリソースを占有し、第2のPDCCH探索空間は第2および第3のシンボルに対応するリソースを占有する。場合により、異なる時間領域リソースについて、第1の基地局または第2の基地局は、REGからCCEへのマッピングおよびCCEから探索空間候補へのマッピングを実行してもよい。マッピングは、局所マッピングまたは分散マッピングであり得る。
【０１２１】
例えば、第1の基地局および第2の基地局は、それぞれPDCCH 1およびPDCCH 2のシンボル番号情報などの時間要素識別子を指示してもよい。例えば、第1の基地局および第2の基地局は、control resource setにおいてPDCCH 1およびPDCCH 2のシンボル番号情報を指示する。場合により、シンボル番号情報は2ビットで表され得る。例えば、00は第1のシンボルを表し、01は第2のシンボルを表し、10は第3のシンボルを表し、11は第4のシンボルを表す。あるいは、シンボル番号情報はbitmap形式であり、4bitで表され得る。例えば、1100は第1のシンボルおよび第2のシンボルが使用されることを示し、0011は第3のシンボルおよび第4のシンボルが使用されることを示し、1010は第1のシンボルおよび第3のシンボルが使用されることを示し、0101は第2のシンボルおよび第4のシンボルが使用されることを示す、などである。あるいは、シンボル番号情報は、本明細書では挙げられていない他の数のbitまたは他のbitの意味によって指示されてもよい。あるいは、シンボル番号情報は直接指示されてもよい。例えば、シンボル＃0および＃1は、シンボル番号0および1のシンボル位置が使用されることを指示し得る。このことは、本発明の本実施形態において限定されない。
【０１２２】
あるいは、別の例では、第1の基地局および第2の基地局は、セル固有のシンボルの数をまず指示し、次いで、UE固有のシンボル位置を指示してもよい。従って、第1の基地局および第2の基地局は、それぞれのセル内の利用可能なシンボルの数をすべてのUEに通知してもよい。例えば、第1の基地局は、セル内のUEに対して2つの利用可能なシンボルがあることを通知し、第2の基地局は、セル内のUEに対して3つの利用可能なシンボルがあることを通知する。第1の基地局および第2の基地局は、利用可能なシンボル番号をUEにさらに通知してもよい。例えば、第1の基地局は、PDCCH 1のための利用可能なシンボル番号が0であることをUEに通知し、第2の基地局は、PDCCH 2のための利用可能なシンボル番号が2であることをUEに通知する。あるいは、第1の基地局および第2の基地局は、UE固有のシンボル位置を直接指示してもよい。例えば、第1の基地局および第2の基地局は、利用可能なシンボル番号をUEに通知してもよい。例えば、第1の基地局は、PDCCH 1のための利用可能なシンボル番号が0であることをUEに通知し、第2の基地局は、PDCCH 2のための利用可能なシンボル番号が2であることをUEに通知する。
【０１２３】
場合により、PDCCH 1とPDCCH 2とが異なる時間領域リソースを占有する場合、CCEは0から番号付けされてもよい。図10aに示されるように、2つのcontrol resource setについて、シンボル0は第1のcontrol resource setを表し、シンボル1および2は第2のcontrol resource setを表し、2つのcontrol resource setの両方に0から番号付けされると仮定される。この場合、1つまたは2つのシンボルが他のUEにも割り当てられている場合、各control resource setについて別々のCCE番号付けが実行されてもよく、UEは、各control resource setの合計NCCEに基づいて計算されるブラインド検出のCCEに基づいて探索を実行する。これにより、異なるシンボルのインターリーブを回避できる。シンボル番号は、control resource setの指示で運ばれ得る。
【０１２４】
場合により、PDCCH 1とPDCCH 2とが異なる時間領域リソースを占有する場合、CCEはシンボル位置に基づいて連続して番号付けされてもよい。図10bに示されるように、2つのcontrol resource setについて、シンボル0が第1のcontrol resource setを表し、シンボル1および2が第2のcontrol resource setを表す場合、2つのcontrol resource setの番号はシンボルの位置に関連付けられていると仮定される。例えば、シンボル0のcontrol resource setのCCEは0から番号付けされてもよく、シンボル1のcontrol resource setのCCEはNから番号を付けされ、Nは第1のシンボルに含まれるCCEの合計数である。
【０１２５】
さらに場合により、シンボル位置情報は、制御リソースセットの構成情報で運ばれ、UEに送信されてもよい。例えば、第1の基地局または第2の基地局は、1つの制御リソースセットをさらに構成し、制御リソースセットの構成情報に2つのシンボル位置に関する情報を追加することができ（シンボル位置は、シンボルの数とシンボル番号とのうちの少なくとも1つであり得る）、2つのシンボル位置は、それぞれ2つの探索空間に対応し得る。あるいは、第1の基地局または第2の基地局は2つの制御リソースセットを構成し、各制御リソースセットが1つのシンボル位置に関する情報を運ぶことができる、などである。このことは、本発明の本実施形態において限定されない。
【０１２６】
203．第1の基地局は、第1のリソースを使用することにより第1のPDCCHをUEに送信する。
【０１２７】
204．第2の基地局は、第2のリソースを使用することにより第2のPDCCHをUEに送信する。
【０１２８】
さらに、PDCCHのリソース位置を判定した後、第1の基地局および第2の基地局は、リソース位置でPDCCHを送信してもよい。第1のリソースは、時間−周波数領域リソースであってもよいし、符号分割リソースであってもよい。
【０１２９】
さらに、任意の実施形態では、ステップ203および204の両方が実行されてもよいし、それらのうちの一方のみが実行されてもよい。例えば、第1の基地局および第2の基地局の両方がUEの協調基地局である場合、異なる瞬間にデータを送信する基地局は、異なり得る。例えば、瞬間1において、第1の基地局および第2の基地局の両方が、UEのためのデータスケジューリングを実行するためにダウンリンク制御情報（チャネル）を送信する必要がある場合、ステップ203および204はすべて実行され得る。別の例では、瞬間2において、第1の基地局のみが、UEのためのデータスケジューリングを実行するためにダウンリンク制御情報を送信する必要がある場合、ステップ203のみが実行される必要がある。さらに別の例では、瞬間3において、第2の基地局のみが、UEのためのデータスケジューリングを実行するためにダウンリンク制御情報を送信する必要がある場合、ステップ204のみが実行される必要がある。どの基地局またはどの複数の基地局がUEのためのデータスケジューリングを実行するかは、基地局のチャネル条件およびスケジューリング決定などのスケジューリング関連情報に依存し得る。瞬間1、2、および3は、時間要素の具体的な識別子であり得る。例えば、時間要素に対応する時間単位は、無線フレーム、サブフレーム、スロット、ミニスロット、シンボルなどであり得る。
【０１３０】
205．UEは、第1のPDCCHの第1の探索空間と第2のPDCCHの第2の探索空間とを判定する。
【０１３１】
具体的には、UEによって受信される複数のPDCCHのPDCCH探索空間が異なる場合、複数のPDCCHのPDCCH探索空間の判定の際、UEは、複数のPDCCHのPDCCH探索空間により占有されるリソースを別々に判定し、リソースに基づいて複数のPDCCHのPDCCH探索空間を別々に判定することができる。リソースは、周波数領域リソースまたは時間領域リソースを含み得る。
【０１３２】
場合により、複数のPDCCHのPDCCH探索空間により占有されるリソースを別々に判定する場合、UEは、特定のルールに従って、複数のPDCCHのPDCCH探索空間により占有されるリソースを判定してもよいし、複数の基地局によって送信された通知メッセージに基づいて、複数のPDCCHのPDCCH探索空間により占有されるリソースを判定してもよい。例えば、UEは、第1のリソース構成情報を指示するために使用され、第1の基地局などの少なくとも1つの基地局によって送信される第1の通知メッセージと、第4のリソース構成情報を指示するために使用され、第2の基地局によって送信される第4の通知メッセージと、を受信することができ、第1のリソース構成情報および第4のリソース構成情報に基づいて、複数のPDCCHのPDCCH探索空間により占有されるリソースを判定することができる。第1のリソース構成情報および第4のリソース構成情報は、複数のPDCCHのPDCCH探索空間が配置される制御リソースセットにより占有されるリソースに関する情報を含み得る。本発明の本実施形態では、第1のリソース構成情報および第4のリソース構成情報は、第1の基地局および第2の基地局によってそれぞれ送信される第1の基地局のリソース構成情報および第2の基地局のリソース構成情報であり得る。つまり、第1のリソース構成情報は、第1のPDCCH探索空間が配置される制御リソースセットにより占有されるリソースに関する情報を含むことができ、第4のリソース構成情報は、第2のPDCCH探索空間が配置される制御リソースセットにより占有されるリソースに関する情報を含むことができる。これは、2つの制御リソースセットがあり、複数のPDCCHに対応するPDCCH探索空間の数が制御リソースセットの数と同じであることを意味する。さらに場合により、第1のリソース構成情報および／または第4のリソース構成情報は、CCE識別子、例えばCCE番号情報をさらに含むことができる。UEは、第1の基地局または第2の基地局からcontrol resource setの構成情報を受信することにより、第1のリソース構成情報または第4のリソース構成情報を取得し得る。つまり、第1のリソース構成情報または第4のリソース構成情報が、基地局によって送信されたcontrol resource setの構成情報であり得る。
【０１３３】
具体的には、第1のPDCCH探索空間および第2のPDCCH探索空間は、2つのcontrol resource setに配置されてもよく、2つのsetの周波数領域リソースは重ならない、すなわち、2つのPDCCH探索空間が配置されるcontrol resource setは異なる。さらに、各setのCCEは、図8aに示されるように、0から番号付けされてもよい。従って、UEは、control resource set 1およびthe control resource set 2において、CCE番号に基づいて探索空間位置を計算し、探索空間候補に対してブラインド検出を実行することができる。
【０１３４】
場合により、複数のPDCCHのPDCCH探索空間により占有されるリソースを別々に判定する場合、UEは、第2のリソース構成情報を指示するために使用され、第1の基地局によって送信される第2の通知メッセージと、第5のリソース構成情報を指示するために使用され、第2の基地局によって送信される第5の通知メッセージと、をさらに受信することができ、第2のリソース構成情報および第5のリソース構成情報に基づいて、第1のPDCCH探索空間および第2のPDCCH探索空間により占有されるリソースを判定することができる。第2のリソース構成情報および第5のリソース構成情報は、第1のPDCCH探索空間および第2のPDCCH探索空間が配置される2つの制御リソースセットにより占有されるリソースに関する情報、2つの制御リソースセットの識別子、および第1のオフセット値のうちの少なくとも1つを含み得る。第1のオフセット値は、2つの制御リソースセットの識別子に基づいて判定されてもよく（または第1のオフセット値はUEによって判定されてもよいし、オフセット値は事前定義されてもよい）、2つの制御リソースセットにより占有されるリソースは重なる。さらに場合により、第2のリソース構成情報および／または第5のリソース構成情報は、CCE識別子、例えばCCE番号情報をさらに含むことができる。UEは、第1の基地局または第2の基地局からcontrol resource setの構成情報を受信することにより、第2のリソース構成情報または第5のリソース構成情報を取得し得る。つまり、第2のリソース構成情報または第5のリソース構成情報が、基地局によって送信されたcontrol resource setの構成情報であり得る。
【０１３５】
具体的には、第1のPDCCH探索空間および第2のPDCCH探索空間は、2つのcontrol resource set、すなわち、control resource set 1およびcontrol resource set 2に配置されてもよく、2つのsetのリソースは完全に重なり得る。さらに、PDCCH探索空間のCCE番号は、セット番号に関連付けられ得る。例えば、1つの第1のオフセット値offset 1が構成され、第1のsetに対応する第1のPDCCH探索空間のCCE番号が式に従って判定され、第2のsetに対応するPDCCH探索空間のCCE番号が値offset 1だけ増加し得る。例えば、第1のsetのCCE番号が1である場合、第2のsetの計算されたCCE番号は1＋offset 1になり得る。offset 1は固定値であってもよいし、シグナリングを介して基地局によりUEに通知されてもよい。ここではこれ以上詳細を説明しない。図8bに示されるように、UEは、control resource set 1およびthe control resource set 2において、CCE番号に基づいて探索空間位置を計算し、探索空間候補に対してブラインド検出を実行することができる。
【０１３６】
場合により、複数のPDCCHのPDCCH探索空間により占有されるリソースを別々に判定する場合、UEは、第3のリソース構成情報を指示するために使用され、第1の基地局によって送信される第3の通知メッセージと、第6のリソース構成情報を指示するために使用され、第2の基地局によって送信される第6の通知メッセージと、をさらに受信することができ、第3のリソース構成情報および第6のリソース構成情報に基づいて、第1のPDCCH探索空間および第2のPDCCH探索空間により占有されるリソースを判定することができる。第3のリソース構成情報および第6のリソース構成情報は、第1の基地局および第2の基地局によってそれぞれ送信される第1の基地局のリソース構成情報および第2の基地局のリソース構成情報であり得る。第3のリソース構成情報は、第1のPDCCH探索空間が配置される制御リソースセットにより占有されるリソースに関する情報、第1のPDCCH探索空間の識別子、および第2のオフセット値のうちの少なくとも1つを含み得る。第6のリソース構成情報は、第2のPDCCH探索空間が配置される制御リソースセットにより占有されるリソースに関する情報、第2のPDCCH探索空間の識別子、および第2のオフセット値のうちの少なくとも1つを含み得る。第2のオフセット値は、第1のPDCCH探索空間の識別子および第2のPDCCH探索空間の識別子に基づいて判定され（第2のオフセット値はUEによって代替的に判定され得る）、第1のPDCCH探索空間が配置される制御リソースセットは、第2のPDCCH探索空間が配置される制御リソースセットと同じである。さらに場合により、第3のリソース構成情報および／または第6のリソース構成情報は、CCE識別子、例えばCCE番号情報をさらに含むことができる。UEは、第1の基地局または第2の基地局からcontrol resource setの構成情報または探索空間の構成情報を受信することにより、第3のリソース構成情報または第6のリソース構成情報を取得し得る。つまり、第3のリソース構成情報または第6のリソース構成情報は、基地局によって送信されたcontrol resource setの構成情報または探索空間の構成情報であり得る。
【０１３７】
具体的には、第1のPDCCH探索空間（search space 1）および第2のPDCCH探索空間（search space 2）は、1つのcontrol resource set（control resource set 1）に配置され得る。さらに、PDCCH探索空間のCCE番号は、探索空間の番号に関連付けられ得る。例えば、1つの第2のオフセット値offset 2が構成され、第1のPDCCH探索空間のCCE番号が式に従って判定され、第2のPDCCH探索空間のCCE番号が値offset 2だけ増加し得る。例えば、第1のPDCCH探索空間の計算されたCCE番号が1である場合、第2のPDCCH探索空間のCCE番号は1＋offset 2であり得る。offset 2は固定値であってもよいし、シグナリングを介して基地局によりUEに通知されてもよい。ここではこれ以上詳細を説明しない。図8cに示されるように、UEは、control resource set 1およびthe control resource set 2において、CCE番号に基づいて探索空間位置を計算し、探索空間候補に対してブラインド検出を実行することができる。
【０１３８】
さらに場合により、リソースは時間領域リソースを含むことができ、UEは、第7の通知メッセージおよび第8の通知メッセージなど、第1の基地局および第2の基地局によって送信される通知メッセージをさらに受信することができる。通知メッセージは、それぞれ、第1のPDCCH探索空間により占有される第3の時間要素の識別子と、第2のPDCCH探索空間により占有される第4の時間要素の識別子と、を含む。従って、図9に示されるように、第1のPDCCH探索空間および第2のPDCCH探索空間は、時間領域リソースに基づいて区別され得る。UEは、時間要素の識別子に基づいて、例えばPDCCH探索空間により占有されるシンボル番号に基づいて探索空間を判定し、ブラインド検出を実行することができる。
【０１３９】
換言すれば、探索空間は、アグリゲーションレベル、PDCCHの数、制御情報フォーマット、制御情報サイズ、および探索空間の数のうちの少なくとも1つに基づいて判定され得る。例えば、アグリゲーションレベル、PDCCHの数、制御情報フォーマット、制御情報サイズ、および探索空間の数は、基地局によってUEに通知されてもよく、例えば、基地局がcontrol resource setを判定した場合にUEに通知されてもよい。
【０１４０】
例えば、第1の基地局または第2の基地局は、control resource setを構成（判定）するときに、1つ以上のアグリゲーションレベルをUEに通知してもよい。例えば、第1の基地局または第2の基地局は、アグリゲーションレベルを4に構成することができ、UEは、監視の際に、アグリゲーションレベル4に対応する候補のみを検出する、または第1の基地局または第2の基地局は、4、8、および16などの複数のアグリゲーションレベルを構成することができ、UEは、監視の際に、指示されたアグリゲーションレベルに対応する候補のみを検出する。このようにして、より少ないブラインド検出が実行される。あるいは、第1の基地局または第2の基地局は、control resource setについて監視される必要があるPDCCHの数をUEに通知してもよい。例えば、UEが1つのPDCCHを監視するように構成される場合、UEは、1つのPDCCHが検出された後またはブラインド検出の最大数に達した後、監視を停止し、UEが2つのPDCCHを監視するように構成される場合、UEは、2つのPDCCHが検出された後またはブラインド検出の最大数に達した後、監視を停止する。
【０１４１】
別の例では、第1の基地局または第2の基地局は、control resource setについて監視される必要があるPDCCHの数および対応するアグリゲーションレベルをUEに通知してもよい。例えば、UEが1つのPDCCHを検出し、対応するアグリゲーションレベルが4であると構成される場合、UEは、アグリゲーションレベル4に対応する候補のみで監視を実行し、UEは、1つのPDCCHが検出された後もしくはブラインド検出の最大数に達した後、監視を停止する、またはUEが1つのPDCCHを検出し、対応するアグリゲーションレベルが4、8、および16などの複数のアグリゲーションレベルであると構成される場合、UEは、指示されたアグリゲーションレベルに対応する候補のみで監視を実行し、UEは、1つのPDCCHが検出された後もしくはブラインド検出の最大数に達した後、監視を停止する、または第1の基地局または第2の基地局が、UEが2つのPDCCHを検出し、2つのPDCCHに対応するアグリゲーションレベルが同じであると構成し得る場合、例えば、対応するアグリゲーションレベルが4の場合、UEは、アグリゲーションレベル4に対応する候補のみで監視を実行することができ、UEは、2つのPDCCHが検出された後もしくはブラインド検出の最大数に達した後、監視を停止する、またはUEが2つのPDCCHを検出し、2つのPDCCHに対応するアグリゲーションレベルが同じであると構成される場合、例えば、対応するアグリゲーションレベルが4、8、および16などの複数のアグリゲーションレベルである場合、UEは、指示されたアグリゲーションレベルに対応する候補でのみ監視を実行し、UEは、2つのPDCCHが検出された後もしくはブラインド検出の最大数に達した後、監視を停止する、または第1の基地局もしくは第2の基地局が、UEが2つのPDCCHを検出し、2つのPDCCHに対応するアグリゲーションレベルが異なると構成し得る場合、例えば、第1のPDCCHに対応するアグリゲーションレベルが4であり、第2のPDCCHに対応するアグリゲーションレベルが8である場合、UEは、第1のPDCCHについてアグリゲーションレベル4に対応する候補のみで監視を実行し、1つのPDCCHが検出された後もしくはブラインド検出の最大数に達した後、UEは、第2のPDCCHについてアグリゲーションレベル8に対応する候補のみで監視を実行し、1つのPDCCHが検出された後もしくはブラインド検出の最大数に達した後、監視を停止し、第1のPDCCHと第2のPDCCHとの検出順序は限定されない。あるいは、第1の基地局または第2の基地局が、UEが2つのPDCCHを検出し、2つのPDCCHに対応するアグリゲーションレベルが異なると構成し得る場合、例えば、第1のPDCCHに対応するアグリゲーションレベルが、4、8、および16などの複数のアグリゲーションレベルであり、第2のPDCCHに対応するアグリゲーションレベルが、8、16、および32などの複数のアグリゲーションレベルである場合、UEは、第1のPDCCHについて4、8、および16などの指示されたアグリゲーションレベルに対応する候補のみで監視を実行することができ、1つのPDCCHが検出された後もしくはブラインド検出の最大数に達した後、UEは、第2のPDCCHについて8、16、および32などの指示されたアグリゲーションレベルに対応する候補のみで監視を実行し、1つのPDCCHが検出された後もしくはブラインド検出の最大数に達した後、監視を停止し、第1のPDCCHおよび第2のPDCCHの検出順序は制限されず、同時に検出されてもよい。例えば、2つ��PDCCHのアグリゲーションレベルが同じ場合、検出は2つのPDCCHで同時に実行され得る。このことは、本発明の本実施形態において限定されない。
【０１４２】
さらに場合により、第1の基地局または第2の基地局は、control resource setの制御情報フォーマットまたは制御情報サイズのうちの少なくとも1つをUEにさらに通知することができる。例えば、UEは、制御情報フォーマットがDCI format 2Dであるか、制御情報サイズがAであるPDCCHを検出し、Aの値が、20bit、40bit、または別の値であると構成される。複数の制御情報数または複数の制御情報サイズに関する情報が複数の探索空間または複数のPDCCHに対して構成されてもよい。あるいは、1つの制御情報数または1つの制御情報サイズに関する情報が複数の探索空間または複数のPDCCHに対して構成されてもよい。あるいは、複数の制御情報数または複数の制御情報サイズに関する情報が1つの探索空間または1つのPDCCHに対して構成されてもよい。あるいは、制御情報数または制御情報サイズが事前定義される。この解決策により、UEはPDCCHを正しく検出および復号できる。
【０１４３】
さらに場合により、第1の基地局または第2の基地局は、control resource setの探索空間の数をUEに通知することができ、1つの探索空間は1つ以上のPDCCHを含むことができ、探索空間についてPDCCHの数ならびに対応するアグリゲーションレベル、制御情報フォーマット、および制御情報サイズをUEにさらに通知できる。ここではこれ以上詳細を説明しない。
【０１４４】
206．UEは、第1の探索空間において、第1のPDCCHにより占有される第1のリソースを判定し、第2の探索空間において、第2のPDCCHにより占有される第2のリソースを判定する。
【０１４５】
207．UEは、第1のリソースを使用することにより第1のPDCCHを取得し、第2のリソースを使用することにより第2のPDCCHを取得する。
【０１４６】
さらに、各PDCCHの探索空間を判定した後、UEは、PDCCH探索空間において各PDCCHにより占有されるリソースを判定し、そのリソースを使用することによりPDCCHを取得してもよい。リソースは、時間−周波数リソースまたは符号分割によって取得されたリソースを含む。従って、UEは、判定された時間−周波数リソースでPDCCHを取得することもできるし、判定された符号分割リソースでPDCCHを取得することもできる。
【０１４７】
本発明の本実施形態では、複数の基地局が、UEの異なるPDCCH探索空間で複数のPDCCHをUEに送信でき、その結果、UEは、複数のPDCCHを受信し、複数のPDCCHを介して1つのキャリアでデータをスケジューリングできる。これは、情報送信効率および情報送信の信頼性を改善する。本発明の本実施形態では、時間−周波数リソースに基づいて異なるcontrol resource setおよびsearch spaceが構成され、複数のPDCCHの探索空間候補は、複数のPDCCHのCCEが重ならないことを確保するように設計される。これは、複数のPDCCHの送信をサポートできないという従来技術の問題を解決し、協調送信における分散MIMOマルチストリーム送信性能を改善し、UEのブラインド検出を減らし、UEのブラインド検出効率を改善する。
【０１４８】
図11は、本発明の一実施形態によるさらに別のチャネル送信方法の概略的な相互作用図である。具体的には、図11に示されるように、本発明の本実施形態におけるチャネル送信方法は、以下のステップを含む。
【０１４９】
301．第1の基地局が、協調された第1の探索空間を判定する。
【０１５０】
302．第2の基地局が、協調された第2の探索空間を判定する。
【０１５１】
場合により、第1の基地局は、第3のパラメータに基づいて第1のPDCCH探索空間（すなわち、第1の探索空間）をさらに判定してもよい。これに対応して、第2の基地局は、第3のパラメータに基づいて第2のPDCCH探索空間（すなわち、第2の探索空間）をさらに判定してもよい。第1のPDCCH探索空間または第2のPDCCH探索空間は少なくとも1つのCCEを含むことができ、第3のパラメータはCCEの数またはCCE識別子を含む。さらに場合により、第1のPDCCH探索空間に対応する第3のパラメータに含まれるCCEの数（またはCCE識別子）は、第2のPDCCH探索空間に対応する第3のパラメータに含まれる数と同じであっても異なっていてもよい。
【０１５２】
具体的には、協調された第1のPDCCH探索空間または第2のPDCCH探索空間は、協調送信専用の探索空間（「協調された探索空間」とも呼ばれる）であり、第1のPDCCH探索空間および第2のPDCCH探索空間は事前定義され得る。場合により、協調された第1のPDCCH探索空間および第2のPDCCH探索空間は、UEのために構成された探索空間であってもよいし、基地局によって集中的に構成された探索空間であってもよいし、異なる基地局によってそれぞれ構成された探索空間などであってもよい。このことは、本発明の本実施形態において限定されない。
【０１５３】
例えば、UEのための協調探索空間を構成する方式について、協調探索空間のサイズおよび位置は事前定義されてもよく、協調探索空間はUEの識別子に関連付けられる。例えば、スロットの最初の16個のCCEがUEの協調探索空間として使用され、この方式では、第1のPDCCH探索空間は第2のPDCCH探索空間と同じである。場合により、協調探索空間が構成されているUEの場合、ブラインド検出が特定の規則に従ってPDCCHで実行され得る、例えば、PDCCHの探索空間の判定は、PDCCHが協調制御チャネルであるか否かに関連している。PDCCHが協調制御チャネルである場合、探索空間を判定するために使用されるYkは固定値に設定される。例えば、Ykは1、2などに設定される。あるいは、Yk’＝Yk＋IDTPと仮定され、Yk’がYkとして使用されてもよく、探索空間を判定するために上記の式に代入されてもよい。IDTPは、協調セルの識別子を表してもよく、識別子はセル番号または別の識別子であってもよい。さらに、協調探索空間が残りの空間を有する場合、通常UEの探索空間と協調UEの探索空間とが重なり得る、つまり、通常UEもリソースの浪費を避けるために協調探索空間を使用し得る。例えば、UE mod
【数７】
2020511904.tif 000010
のRNTIが1に等しい場合、UEの探索空間は、協調探索空間と完全にまたは部分的に重なり、協調探索空間が残りの空間を有する場合にUEのPDCCHが送信され得る。
【０１５４】
別の例では、協調探索空間は、基地局によって集中的に構成されてもよい。例えば、基地局は、第1の構成情報に基づいて共通の協調探索空間を判定するために、RRCまたはMAC層シグナリングを介して第1の構成情報を構成することができる。場合により、第1の構成情報は、以下、すなわち、探索空間の構成または協調制御リソースセットの構成を指示するために使用されるcoordinated search space−configと、時間領域のリソース構成情報、例えば、サブフレーム、スロット、またはミニスロットを指示するために使用されるsubframe patternと、協調制御チャネルリソースにより占有されるシンボルの数を指示するために使用されるsymbol numberと、協調制御チャネルリソース（協調制御チャネルリソースは、協調探索空間または協調制御リソースセットであり得る）により占有されるシンボルの番号情報を指示するために使用されるsymbol Indexと、協調探索空間により占有されるCCEの数、または例えばデフォルトで時間要素の最初のいくつかのCCEであり得るCCE位置情報を指示するために使用されるCCE＿numberと、協調探索空間の計算に関連する変数値を指示するために使用されるYk＿valueと、協調制御チャネルリソースにより占有される周波数領域リソース位置に関する情報を指示するために使用されるfrequencyResourceと、のうちの少なくとも1つを含み得る。このようにして、異なる基地局は1つの協調探索空間を共有し、基地局は、探索空間が同じである上記のシナリオに従って異なる基地局間にCCEを割り当てることができる。ここではこれ以上詳細を説明しない。例えば、第1の構成情報は次のように示され得る。
Coordinated search space−Config：：＝SEQUENCE｛
subframePattern  MeasSubframePattern        OPTIONAL，−−Need ON
Symbolnumber−r11  INTEGER（1．．4）      OPTIONAL，−−Need OP
SymbolIndex−r11  BIT STRING（size（4））or INTEGER（1．．4）
OPTIONAL，−−Need OP
CCE＿number  ENUMERATED｛16，32，64｝  OPTIONAL，−−Need ON
Yk＿value  INTEGER（0，1．．4）            OPTIONAL−−Need ON
frequencyResource  ENUMERATED｛16，32，64｝or BIT STRING
（size（4））or INTEGER（1．．4）OPTIONAL，−−Need ON
｝
｝
｝
【０１５５】
さらに別の例では、異なる基地局が異なる協調探索空間を構成し得る。この場合、1つの基地局または異なる基地局は、RRCまたはMAC層シグナリングを介して少なくとも2つの第2の構成情報を構成することができ、各第2の構成情報は、協調探索空間の識別子を運ぶことができる。場合により、第2の構成情報は、以下、すなわち、探索空間の構成または協調制御リソースセットの構成を指示するために使用されるcoordinated search space−configと、協調探索空間の構成された識別子または協調制御リソースセットの構成された識別子を指示するために使用されるCoordinated search space＿IDと、時間領域のリソース構成情報、例えば、サブフレーム、スロット、またはミニスロットを指示するために使用されるsubframe patternと、協調制御チャネルリソースにより占有されるシンボルの数を指示するために使用されるsymbol numberと、協調制御チャネルリソースにより占有されるシンボルの番号情報を指示するために使用されるsymbol Indexと、協調探索空間により占有されるCCEの数、またはCCE位置情報、例えばデフォルトで最初のいくつかのCCEを指示するために使用されるCCE＿numberと、協調探索空間の計算に関連する変数値を指示するために使用されるYk＿valueと、協調制御チャネルリソースにより占有される周波数領域リソース位置に関する情報を指示するために使用されるfrequencyResourceと、協調探索空間の構成された識別子または協調制御リソースセットの構成された識別子を指示するために使用されるCoordinated search space＿IDと、協調探索空間の構成された識別子リストまたは協調制御リソースセットの構成された識別子リストを指示するために使用されるCoordinated search space＿ID＿Listと、協調制御チャネルリソースにより占有されるシンボルの番号情報リストを指示するために使用されるsymbol Index＿Listと、協調探索空間により占有されるCCEのステータスリスト、CCE数数リスト、またはCCE位置情報リストを指示するために使用されるCCE＿index＿Listと、協調制御チャネルリソースにより占有される周波数領域リソース位置の情報リストを指示するために使用されるfrequencyResource＿Listと、のうちの少なくとも1つを含み得る。従って、UEは、通常UEの受信に影響を与えることなくPDCCHでブラインド検出を実行するために、第2の構成情報に基づいて複数の基地局の協調探索空間のCCEを区別することができる。例えば、第2の構成情報は次のように示され得る。
Coordinated search space＿ID  INTEGER（1．．4）
subframePattern  MeasSubframePattern−r10  OPTIONAL，−−Need ON
Symbolnumber  INTEGER（1．．4）          OPTIONAL，−−Need OP
SymbolIndex  BIT STRING（size（4））or INTEGER（1．．4）
OPTIONAL，−−Need OP
CCE＿index  ENUMERATED ｛0〜16，16〜32，32〜64｝
OPTIONAL，−−Need ON
Yk＿value  INTEGER（0，1．．4）            OPTIONAL，−−Need ON
frequencyResource  ENUMERATED ｛16，32，64｝or BIT STRING（size（4））or
INTEGER（1．．4）            OPTIONAL，−−Need ON
｝
｝
｝
【０１５６】
別の例では、第2の構成情報は、次のように代替的に示され得る。
Coordinated search space−Config：：＝SEQUENCE｛
Coordinated search space＿ID＿LIST  INTEGER（1．．4）
symbol Index＿List                  SEQUENCE｛SIZE OF ENUMERATED
｛0，0〜1，0〜2，1〜2，，1，2｝｝OPTIONAL−−Need ON
CCE＿index＿List                  SEQUENCE｛SIZE OF ENUMERATED
｛0〜16，16〜32，32〜64｝｝OPTIONAL−−Need ON
frequencyResource＿List        SEQUENCE｛ENUMERATED｛16，32，64｝or
BIT STRING（size（4））or INTEGER（1．．4）｝
OPTIONAL，−−Need ON
｝
【０１５７】
303．第1の基地局は、第1の探索空間の第1のリソースで、第1のPDCCHをUEに送信する。
【０１５８】
304．第2の基地局は、第2の探索空間の第2のリソースで、第2のPDCCHをUEに送信する。
【０１５９】
305．UEは、第1の探索空間と第2の探索空間とを判定する。
【０１６０】
306．UEは、第1の探索空間で第1のリソースを使用することにより第1のPDCCHを取得し、第2の探索空間で第2のリソースを使用することにより第2のPDCCHを取得する。
【０１６１】
具体的には、第1のPDCCH探索空間および第2のPDCCH探索空間を判定するとき、UEは、第1のPDCCHおよび第2のPDCCHを取得するために、判定されたPDCCH探索空間でブラインド検出を実行するために、CCEの数またはCCE識別子を含み、第1の基地局および第2の基地局によって送信されるパラメータ情報、またはCCEの数またはCCE識別子などの事前定義されたパラメータ情報に依然として基づいて、協調された第1のPDCCH探索空間および第2のPDCCH探索空間を判定してもよい。
【０１６２】
場合により、第1の探索空間は、第2の探索空間と同じであっても異なっていてもよい。第1の基地局または第2の基地局がPDCCHにより占有されるリソースを判定し、UEがPDCCHを取得する方式については、上記の実施形態の説明を参照されたい。ここではこれ以上詳細を説明しない。
【０１６３】
さらに場合により、第1の基地局または第2の基地局は、アグリゲーションレベルおよび／またはPDCCHの数および／または探索空間の数および／または制御情報フォーマットおよび／または制御情報サイズをUEにさらに通知してもよく、その結果、UEは、アグリゲーションレベルおよび／またはPDCCHの数および／または探索空間の数および／または制御情報フォーマットおよび／または制御情報サイズに基づいて探索空間を判定することができる。詳細については、上記の実施形態の説明を参照されたい。ここではこれ以上詳細を説明しない。
【０１６４】
本発明の本実施形態では、複数の基地局が、設計された協調探索空間を使用することにより複数のPDCCHをUEに送信でき、その結果、UEは、複数のPDCCHを受信し、複数のPDCCHを介して1つのキャリアでデータをスケジューリングできる。本発明の本実施形態では、複数のPDCCHの探索空間候補は、複数のPDCCHのCCEが重ならないことを確保するように設計され、それにより、複数のPDCCHをサポートできないために1つのキャリア上のデータがスケジューリングできないという従来技術の問題が解決される。これは、情報送信効率を改善し、情報送信の信頼性を改善し、UEのブラインド検出を減らし、UEのブラインド検出効率を改善する。
【０１６５】
図12は、本発明の一実施形態によるネットワークデバイスの概略構成図である。具体的には、図12に示されるように、本発明の本実施形態におけるネットワークデバイスは、判定モジュール11と通信モジュール12とを備えることができる。
【０１６６】
判定モジュール11は、少なくとも2つのダウンリンク制御チャネルの探索空間を判定するように構成される。
【０１６７】
判定モジュール11は、探索空間において、少なくとも2つのダウンリンク制御チャネルにより占有されるリソースを別々に判定するようにさらに構成され、少なくとも2つのダウンリンク制御チャネルによりスケジューリングされるリソースが1つのキャリアに属する。
【０１６８】
通信モジュール12は、リソースを使用することにより少なくとも2つのダウンリンク制御チャネルを取得するように構成される。
【０１６９】
場合により、少なくとも2つのダウンリンク制御チャネルの探索空間が同じであってもよく、少なくとも2つのダウンリンク制御チャネルの探索空間を判定するとき、判定モジュール11が
第1のパラメータに基づいて少なくとも2つのダウンリンク制御チャネルの探索空間を判定し、第1のパラメータが、制御チャネル要素CCEの数、第1の時間要素の識別子、およびダウンリンク制御チャネルの候補位置のうちの少なくとも1つを含む、
ように特に構成され得る。
【０１７０】
さらに場合により、少なくとも2つのダウンリンク制御チャネルの探索空間のCCEの数が同じである、または少なくとも2つのダウンリンク制御チャネルの第1の時間要素の識別子が、少なくとも2つのダウンリンク制御チャネルにより占有されるリソースのサブキャリア間隔に基づいて判定される、または少なくとも2つのダウンリンク制御チャネルの第1の時間要素の識別子が、事前設定されたサブキャリア間隔に対応する時間要素のうち、少なくとも2つのダウンリンク制御チャネルの第1の時間要素に対応する時間要素の識別子に基づいて判定される、または少なくとも2つのダウンリンク制御チャネルの候補位置が異なり、少なくとも2つのダウンリンク制御チャネルの候補位置が、第2のパラメータに基づいて判定され、第2のパラメータが、デバイス種別、デバイス識別子、およびアグリゲーションレベルのうちの少なくとも1つを含む。
【０１７１】
場合により、少なくとも2つのダウンリンク制御チャネルの探索空間が異なっていてもよく、少なくとも2つのダウンリンク制御チャネルの探索空間を判定するときに、判定モジュール11は、
少なくとも2つのダウンリンク制御チャネルの探索空間により占有されるリソースを別々に判定し、少なくとも2つのダウンリンク制御チャネルの探索空間により占有されるリソースが異なり、リソースに基づいて少なくとも2つのダウンリンク制御チャネルの探索空間を別々に判定し、判定されたリソースが周波数領域リソースまたは時間領域リソースを含み得る、ように特に構成され得る。
【０１７２】
さらに場合により、少なくとも2つのダウンリンク制御チャネルの探索空間により占有されるリソースを別々に判定するときに、判定モジュール11が、
第1のリソース構成情報を判定し、第1のリソース構成情報に基づいて、少なくとも2つのダウンリンク制御チャネルの探索空間により占有されるリソースを判定し、第1のリソース構成情報が、少なくとも2つのダウンリンク制御チャネルの探索空間が配置される制御リソースセットにより占有されるリソースに関する情報を含むことができ、少なくとも2つのダウンリンク制御チャネルに対応する探索空間の数が、制御リソースセットの数と同じである、
ように特に構成され得る。
【０１７３】
さらに場合により、少なくとも2つのダウンリンク制御チャネルの探索空間により占有されるリソースを別々に判定するときに、判定モジュール11が、
第2のリソース構成情報を判定し、第2のリソース構成情報に基づいて、少なくとも2つのダウンリンク制御チャネルの探索空間により占有される前記リソースを判定し、第2のリソース構成情報が、少なくとも2つのダウンリンク制御チャネルの探索空間が配置される少なくとも2つの制御リソースセットにより占有されるリソースに関する情報、少なくとも2つの制御リソースセットの識別子、および第1のオフセット値のうちの少なくとも1つを含むことができ、第1のオフセット値が、少なくとも2つの制御リソースセットの識別子に基づいて判定され、少なくとも2つの制御リソースセットにより占有されるリソースが重なる、ように特に構成され得る。
【０１７４】
さらに場合により、少なくとも2つのダウンリンク制御チャネルの探索空間により占有されるリソースを別々に判定するときに、判定モジュール11が、
第3のリソース構成情報を判定し、第3のリソース構成情報に基づいて、少なくとも2つのダウンリンク制御チャネルの探索空間により占有されるリソースを判定し、第3のリソース構成情報が、少なくとも2つのダウンリンク制御チャネルの探索空間が配置される制御リソースセットにより占有されるリソースに関する情報、少なくとも2つのダウンリンク制御チャネルの探索空間の識別子、および第2のオフセット値のうちの少なくとも1つを含むことができ、第2のオフセット値が、少なくとも2つのダウンリンク制御チャネルの探索空間の識別子に基づいて判定され、少なくとも2つのダウンリンク制御チャネルに対応する探索空間が配置される制御リソースセットが同じである、ように特に構成され得る。
【０１７５】
さらに場合により、リソースが時間領域リソースを含むことができ、
通信モジュール11が、少なくとも1つの別のネットワークデバイスによって送信された通知メッセージを受信し、通知メッセージが、少なくとも2つのダウンリンク制御チャネルの探索空間により占有される第2の時間要素の識別子を含む、ようにさらに構成され得る。
【０１７６】
場合により、ネットワークデバイスは、上記のモジュールを使用することにより、図2から図11に対応する実施形態のチャネル送信方法においてユーザ機器によって実行されるステップの一部または全部を実施してもよい。本発明の本実施形態は、方法の実施形態に対応する装置の実施形態であり、方法の実施形態に関する説明は、本発明の本実施形態にも適用可能であることを理解されたい。
【０１７７】
図13は、本発明の一実施形態による別のネットワークデバイスの概略構成図である。具体的には、図13に示されるように、本発明の本実施形態におけるネットワークデバイスは、第1の判定モジュール21と、第2の判定モジュール22と、第1の通信モジュール23と、第2の通信モジュール24と、を備える。
【０１７８】
第1の判定モジュール21は、第1の探索空間において、第1のダウンリンク制御チャネルにより占有される第1のリソースを判定するように構成される。
【０１７９】
第2の判定モジュール22は、第2の探索空間において、第2のダウンリンク制御チャネルにより占有される第2のリソースを判定し、第1のダウンリンク制御チャネルによりスケジューリングされるリソースと第2のダウンリンク制御チャネルによりスケジューリングされるリソースとが1つのキャリアに属する、ように構成される。
【０１８０】
第1の通信モジュール23は、第1のリソースを使用することにより、第1のダウンリンク制御チャネルを別のネットワークデバイスに送信するように構成される。
【０１８１】
第2の通信モジュール24は、第2のリソースを使用することにより、第2のダウンリンク制御チャネルを別のネットワークデバイスに送信するように構成される。
【０１８２】
場合により、第1の判定モジュール21および第1の通信モジュール23は、第2の判定モジュール22および第2の通信モジュール24と同じネットワークデバイスまたは異なるネットワークデバイスに配置されてもよい。このことは、本発明の本実施形態において限定されない。
【０１８３】
第1の探索空間は、第2の探索空間と同じであっても異なっていてもよい。
【０１８４】
場合により、第1の探索空間は、第2の探索空間と同じであってもよい。
第1の判定モジュール21は、第1のパラメータに基づいて第1の探索空間を判定するようにさらに構成され、
第2の判定モジュール22は、第1のパラメータに基づいて第1の探索空間を判定するようにさらに構成され、第1のパラメータが、CCEの数、第1の時間要素の識別子、およびダウンリンク制御チャネルの候補位置のうちの少なくとも1つを含む。
【０１８５】
さらに場合により、第1の判定モジュール21によって判定される第1のパラメータに含まれるCCEの数が、第2の判定モジュール22によって判定される第1のパラメータに含まれるCCEの数と同じである、または第1のダウンリンク制御チャネルの第1の時間要素の識別子もしくは第2のダウンリンク制御チャネルの第1の時間要素の識別子が、第1のリソースのサブキャリア間隔および第2のリソースのサブキャリア間隔に基づいて判定される、または第1のダウンリンク制御チャネルの第1の時間要素の識別子が、事前設定されたサブキャリア間隔に対応する時間要素のうち、第1のダウンリンク制御チャネルの第1の時間要素に対応する時間要素の識別子に基づいて判定され、第2のダウンリンク制御チャネルの第1の時間要素の識別子が、事前設定されたサブキャリア間隔に対応する時間要素のうち、第2のダウンリンク制御チャネルの第1の時間要素に対応する時間要素の識別子に基づいて判定される、または第1のダウンリンク制御チャネルの候補位置が、第2のダウンリンク制御チャネルの候補位置とは異なり、第1のダウンリンク制御チャネルの候補位置もしくは第2のダウンリンク制御チャネルの候補位置が、第2のパラメータに基づいて判定され、第2のパラメータが、デバイス種別、デバイス識別子、およびアグリゲーションレベルのうちの少なくとも1つを含む。
【０１８６】
場合により、第1の探索空間が第2の探索空間とは異なっていてもよく、
第1の判定モジュール21が、第1の探索空間により占有される第3のリソースを判定し、第3のリソースに基づいて第1の探索空間を判定し、第3のリソースが周波数領域リソースまたは時間領域リソースを含み得る、ようにさらに構成され得る。
【０１８７】
さらに場合により、第3のリソースに基づいて第1の探索空間を判定するときに、第1の判定モジュール21が、
第1のリソース構成情報を判定し、第1のリソース構成情報に基づいて第1の探索空間を判定し、第1のリソース構成情報が、第1の探索空間が配置される制御リソースセットにより占有されるリソースに関する情報を含む、ように特に構成され得る。
【０１８８】
さらに場合により、第3のリソースに基づいて第1の探索空間を判定するときに、第1の判定モジュール21が、
第2のリソース構成情報を判定し、第2のリソース構成情報に基づいて第1の探索空間を判定し、第2のリソース構成情報が、第1の探索空間が配置される制御リソースセットにより占有されるリソースに関する情報、制御リソースセットの識別子、および第1のオフセット値のうちの少なくとも1つを含み、第1のオフセット値が、制御リソースセットの識別子に基づいて判定される、ように特に構成され得る。
【０１８９】
さらに場合により、第3のリソースに基づいて第1の探索空間を判定するときに、第1の判定モジュール21が、
第3のリソース構成情報を判定し、第3のリソース構成情報に基づいて第1の探索空間を判定し、第3のリソース構成情報が、第1の探索空間が配置される制御リソースセットにより占有されるリソースに関する情報、第1の探索空間の識別子、および第2のオフセット値のうちの少なくとも1つを含み、第2のオフセット値が、第1の探索空間の識別子に基づいて判定される、ように特に構成され得る。
【０１９０】
さらに場合により、第1の探索空間が第2の探索空間と異なっていてもよく、第2の判定モジュール22が、第2の探索空間により占有される第4のリソースを判定し、第4のリソースに基づいて第1の探索空間を判定する、ようにさらに構成され得る。具体的には、第2の判定モジュール22により第4のリソースに基づいて第2の探索空間を判定する方式は、第1の判定モジュール21により第3のリソースに基づいて第1の探索空間を判定する方式と同じである。ここではこれ以上詳細を説明しない。
【０１９１】
場合により、第3のリソースが時間領域リソースを含んでもよく、
第1の通信モジュール23が、通知メッセージを別のネットワークデバイスにさらに送信し、通知メッセージが、第1の探索空間により占有される第2の時間要素の識別子を含む、ようにさらに構成される。
【０１９２】
場合により、第1の判定モジュール21が、第3のパラメータに基づいて第1の探索空間を判定し、第1の探索空間が少なくとも1つのCCEを含み、第3のパラメータがCCEの数またはCCE識別子を含む、ようにさらに構成される。
【０１９３】
具体的には、第2の探索空間において、第2のダウンリンク制御チャネルにより占有される第2のリソースを判定し、第1の通信モジュール23および第2の通信モジュール24により第2のダウンリンク制御チャネルを送信する方式は、第1の探索空間において、第1のダウンリンク制御チャネルにより占有される第1のリソースを判定し、第1の判定モジュール21および第2の判定モジュール22により第1のダウンリンク制御チャネルを送信する方式と同様である。ここではこれ以上詳細を説明しない。
【０１９４】
場合により、ネットワークデバイスは、上記のモジュールを使用することにより、図2から図11に対応する実施形態のチャネル送信方法において基地局によって実行されるステップの一部または全部を実施してもよい。本発明の本実施形態は、方法の実施形態に対応する装置の実施形態であり、方法の実施形態に関する説明は、本発明の本実施形態にも適用可能であることを理解されたい。
【０１９５】
本発明の本実施形態では、複数のダウンリンク制御チャネルの探索空間候補は、複数のダウンリンク制御チャネルのCCEが重ならないことを確保するように設計される。これは、複数のPDCCHの送信をサポートできないため、1つのキャリア上でデータをスケジューリングできないという従来の問題を解決し、ユーザ機器のブラインド検出を減らし、ブラインド検出効率を改善する。
【０１９６】
図14は、本発明の一実施形態によるチャネル送信システムの概略構成図である。具体的には、図14に示されるように、本発明の本実施形態における情報送信システムは、第1のネットワークデバイス1と、第2のネットワークデバイス2と、第3のネットワークデバイス3と、を備え得る。
【０１９７】
第1のネットワークデバイス1は、第1の探索空間において、第1のダウンリンク制御チャネルにより占有される第1のリソースを判定し、第1のリソースを使用することにより第1ダウンリンク制御チャネルを第3のネットワークデバイス3に送信する、ように構成される。
【０１９８】
第2のネットワークデバイス2は、第2の探索空間において、第2のダウンリンク制御チャネルにより占有される第2のリソースを判定し、第2のリソースを使用することにより第2のダウンリンク制御チャネルを第3のネットワークデバイス3に送信し、第1のダウンリンク制御チャネルによりスケジューリングされるリソースと第2のダウンリンク制御チャネルによりスケジューリングされるリソースとが1つのキャリアに属する、ように構成される。
【０１９９】
第3のネットワークデバイス3は、第1のダウンリンク制御チャネルの第1の探索空間および第2のダウンリンク制御チャネルの第2の探索空間を判定し、第1の探索空間において、第1のダウンリンク制御チャネルにより占有される第1のリソースを判定し、第2の探索空間において、第2のダウンリンク制御チャネルにより占有される第2のリソースを判定し、第1のリソースを使用することにより第1のダウンリンク制御チャネルを取得し、第2のリソースを使用することにより第2のダウンリンク制御チャネルを取得する、ように構成される。
【０２００】
場合により、第1の探索空間は、第2の探索空間と同じであっても異なっていてもよい。上記の第1のネットワークデバイス、第2のネットワークデバイス、または第3のネットワークデバイスなどのネットワークデバイスは、基地局であっても、ユーザ機器であってもよい。第1のネットワークデバイスおよび第2のネットワークデバイスが同じネットワークデバイスであり得る、すなわち、同じネットワークデバイス、例えば基地局が複数のダウンリンク制御チャネルを別のネットワークデバイス、例えばユーザ機器に送信する、または第1のネットワークデバイスと第2のネットワークデバイスとが異なるネットワークデバイスであり得る。このことは、本発明の本実施形態において限定されない。
【０２０１】
具体的には、第1のネットワークデバイスおよび第2のネットワークデバイスについては、図2から図11に対応する実施形態における基地局の関連する説明を参照し、第3のネットワークデバイスについては、図2から図11に対応する実施形態におけるユーザ機器の関連する説明を参照されたい。ここではこれ以上詳細を説明しない。
【０２０２】
図15は、本発明の一実施形態によるさらに別のネットワークデバイスの概略構成図である。具体的には、図15に示されるように、本発明の本実施形態におけるネットワークデバイスは、通信インターフェース300と、メモリ200と、プロセッサ100と、を備えることができる。プロセッサ100は、通信インターフェース300およびメモリ200に接続される。
【０２０３】
通信インターフェース300、メモリ200、およびプロセッサ100の間のデータ接続は、バスを使用することにより実施されてもよいし、別の方式で実施されてもよい。本実施形態では、バスを使用して実装される接続について説明する。
【０２０４】
プロセッサ100は、中央処理装置（英語：Central Processing Unit、略称CPU）、ネットワークプロセッサ（英語：Network Processor、略称NP）、またはCPUとNPとの組み合わせとすることができる。
【０２０５】
プロセッサ100は、ハードウェアチップをさらに備えてもよい。上記のハードウェアチップは、特定用途向け集積回路（英語：Application−Specific Integrated Circuit、略称ASIC）、プログラマブルロジックデバイス（英語：Programmable Logic Device、略称PLD）、またはそれらの組み合わせとすることができる。上記のPLDは、複合プログラマブルロジックデバイス（英語：Complex Programmable Logic Device、略称CPLD）、フィールドプログラマブルゲートアレイ（英語：Field−Programmable Gate Array、略称FPGA）、ジェネリックアレイロジック（英語：Generic Array Logic、略称GAL）、またはそれらの任意の組み合わせとすることができる。
【０２０６】
メモリ200は、ランダムアクセスメモリ（英語：Random−Access Memory、略称RAM）などの揮発性メモリ（英語：Volatile Memory）を含んでもよいし、メモリは、フラッシュメモリ（英語：flash memory）、ハードディスク（英語：Hard Disk Drive、略称HDD）、またはソリッドステートディスク（英語：Solid−State Drive、略称SSD）などの不揮発性メモリ（英語：non−volatile memory）を含んでもよいし、メモリ200は、上記のタイプのメモリの組み合わせを含んでもよい。
【０２０７】
ネットワークデバイスは、ユーザ機器であっても、基地局であってもよい。場合により、メモリ200は、プログラム命令を格納するように構成され、プロセッサ100は、図2から図11に示される実施形態の1つ以上のステップまたは図2から図11に示される実施形態のオプションの実装形態を実行するために、メモリ200に格納されたプログラム命令を呼び出し、その結果、ネットワークデバイスが上記の方法の機能を実施する。例えば、ネットワークデバイスは、上記のモジュールを使用することにより、図2から図11に対応する実施形態のチャネル送信方法においてネットワークデバイス、例えばユーザ機器によって実行されるステップの一部または全部を実施してもよい。
【０２０８】
図16は、本発明の一実施形態によるまた別のネットワークデバイスの概略構成図である。具体的には、図16に示されるように、本発明の本実施形態におけるネットワークデバイスは、通信インターフェース600と、メモリ500と、プロセッサ400と、を備えることができる。プロセッサ400は、通信インターフェース600およびメモリ500に接続される。
【０２０９】
通信インターフェース600、メモリ500、およびプロセッサ400の間のデータ接続は、バスを使用することにより実施されてもよいし、別の方式で実施されてもよい。本実施形態では、バスを使用して実装される接続について説明する。
【０２１０】
プロセッサ400は、CPU、NP、またはCPUとNPとの組み合わせとすることができる。
【０２１１】
プロセッサ400は、ハードウェアチップをさらに備えてもよい。ハードウェアチップは、ASIC、PLD、またはそれらの組み合わせとすることができる。PLDは、CPLD、FPGA、GAL、またはそれらの任意の組み合わせとすることができる。
【０２１２】
メモリ500は、RAMなどの揮発性メモリ（英語：Volatile Memory）を含んでもよいし、メモリはまた、フラッシュメモリ（英語：flash memory）、HDDまたはSSDなどの不揮発性メモリ（英語：non−volatile memory）を含んでもよいし、メモリ500は、上記のタイプのメモリの組み合わせを含んでもよい。
【０２１３】
ネットワークデバイスは、基地局であっても、ユーザ機器であってもよい。場合により、メモリ500は、プログラム命令を格納するように構成され、プロセッサ400は、図2から図11に示される実施形態の1つ以上のステップまたは図2から図11に示される実施形態のオプションの実装形態を実行するために、メモリ500に格納されたプログラム命令を呼び出し、その結果、ネットワークデバイスが上記の方法の機能を実施する。例えば、ネットワークデバイスは、上記のモジュールを使用することにより、図2から図11に対応する実施形態のチャネル送信方法においてネットワークデバイス、例えば基地局によって実行されるステップの一部または全部を実施してもよい。
【０２１４】
上記の実施形態の全部または一部は、ソフトウェア、ハードウェア、ファームウェア、またはそれらの任意の組み合わせを使用することによって実施されてもよい。ソフトウェアが実施形態を実施するために使用される場合、実施形態は、コンピュータプログラム製品の形態で完全にまたは部分的に実施されてもよい。コンピュータプログラム製品は、1つ以上のコンピュータ命令を含む。コンピュータプログラム命令がコンピュータにロードされて実行されると、本発明の実施形態による手順または機能がすべてまたは部分的に生成される。コンピュータは、汎用コンピュータ、専用コンピュータ、コンピュータネットワーク、または別のプログラマブル装置であり得る。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、またはデジタル加入者線（DSL））または無線（例えば、赤外線、電波、またはマイクロ波）方式で送信され得る。コンピュータ可読記憶媒体は、コンピュータによってアクセス可能な任意の使用可能な媒体であってもよく、または1つ以上の使用可能な媒体を一体化するサーバまたはデータセンタなどのデータ記憶装置であってもよい。使用可能な媒体は、磁気媒体（例えば、フロッピーディスク、ハードディスク、または磁気テープ）、光学媒体（例えば、DVD）、半導体媒体（例えば、ソリッドステートディスクSolid State Disk（SSD））などであってもよい。
【符号の説明】
【０２１５】
1  第1のネットワークデバイス
2  第2のネットワークデバイス
3  第3のネットワークデバイス
11  判定モジュール
12  通信モジュール
21  第1の判定モジュール
22  第2の判定モジュール
23  第1の通信モジュール
24  第2の通信モジュール
100  プロセッサ
200  メモリ
300  通信インターフェース
400  プロセッサ
500  メモリ
600  通信インターフェース
【図１】
2020511904.tif 000011
【図２】
2020511904.tif 000012
【図３】
2020511904.tif 000013
【図４】
2020511904.tif 000014
【図５ａ】
2020511904.tif 000015
【図５ｂ】
2020511904.tif 000016
【図５ｃ】
2020511904.tif 000017
【図６】
2020511904.tif 000018
【図７】
2020511904.tif 000019
【図８ａ】
2020511904.tif 000020
【図８ｂ】
2020511904.tif 000021
【図８ｃ】
2020511904.tif 000022
【図９】
2020511904.tif 000023
【図１０ａ】
2020511904.tif 000024
【図１０ｂ】
2020511904.tif 000025
【図１１】
2020511904.tif 000026
【図１２】
2020511904.tif 000027
【図１３】
2020511904.tif 000028
【図１４】
2020511904.tif 000029
【図１５】
2020511904.tif 000030
【図１６】
2020511904.tif 000031
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
第1のネットワークデバイスによって、第1の探索空間において、第1のダウンリンク制御チャネルにより占有される第1のリソースを判定するステップと、
第2のネットワークデバイスによって、第2の探索空間において、第2のダウンリンク制御チャネルにより占有される第2のリソースを判定するステップであって、前記第1のダウンリンク制御チャネルによりスケジューリングされるリソースと前記第2のダウンリンク制御チャネルによりスケジューリングされるリソースとが1つのキャリアに属する、ステップと、
前記第1のネットワークデバイスによって、前記第1のリソースを使用することにより前記第1のダウンリンク制御チャネルを第3のネットワークデバイスに送信するステップと、
前記第2のネットワークデバイスによって、前記第2のリソースを使用することにより前記第2のダウンリンク制御チャネルを前記第3のネットワークデバイスに送信するステップと、
を含む、チャネル送信方法。
【請求項２】
前記第1の探索空間が前記第2の探索空間と同じであり、前記方法が、
前記第1のネットワークデバイスまたは前記第2のネットワークデバイスによって、第1のパラメータに基づいて前記第1の探索空間を判定するステップであって、
前記第1のパラメータが、制御チャネル要素CCEの数、第1の時間要素の識別子、およびダウンリンク制御チャネルの候補位置のうちの少なくとも1つを含み、
前記第1のネットワークデバイスに対応する前記第1のパラメータに含まれるCCEの数が、前記第2のネットワークデバイスに対応する前記第1のパラメータに含まれるCCEの数と同じである、または
前記第1のダウンリンク制御チャネルの第1の時間要素の識別子もしくは前記第2のダウンリンク制御チャネルの第1の時間要素の識別子が、前記第1のリソースのサブキャリア間隔および前記第2のリソースのサブキャリア間隔に基づいて判定される、または
前記第1のダウンリンク制御チャネルの第1の時間要素の識別子が、事前設定されたサブキャリア間隔に対応する時間要素のうち、前記第1のダウンリンク制御チャネルの前記第1の時間要素に対応する時間要素の識別子に基づいて判定され、前記第2のダウンリンク制御チャネルの第1の時間要素の識別子が、前記事前設定されたサブキャリア間隔に対応する前記時間要素のうち、前記第2のダウンリンク制御チャネルの前記第1の時間要素に対応する時間要素の識別子に基づいて判定される、または
前記第1のダウンリンク制御チャネルの候補位置が、前記第2のダウンリンク制御チャネルの候補位置とは異なり、前記第1のダウンリンク制御チャネルの前記候補位置もしくは前記第2のダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、ステップをさらに含む、請求項1に記載の方法。
【請求項３】
前記第1の探索空間が前記第2の探索空間とは異なり、前記方法が、
前記第1のネットワークデバイスによって、前記第1の探索空間により占有される第3のリソースを判定するステップであって、前記第3のリソースが、周波数領域リソースまたは時間領域リソースを含む、ステップと、
前記第1のネットワークデバイスによって、前記第3のリソースに基づいて前記第1の探索空間を判定するステップと、をさらに含む、請求項1に記載の方法。
【請求項４】
前記第1のネットワークデバイスによって、前記第3のリソースに基づいて前記第1の探索空間を判定する前記ステップが、
前記第1のネットワークデバイスによって、第1のリソース構成情報を判定し、前記第1のリソース構成情報に基づいて前記第1の探索空間を判定するステップであって、前記第1のリソース構成情報が、前記第1の探索空間が配置される制御リソースセットにより占有されるリソースに関する情報を含む、ステップを含む、請求項3に記載の方法。
【請求項５】
前記第1のネットワークデバイスによって、前記第3のリソースに基づいて前記第1の探索空間を判定する前記ステップが、
前記第1のネットワークデバイスによって、第2のリソース構成情報を判定し、前記第2のリソース構成情報に基づいて前記第1の探索空間を判定するステップであって、前記第2のリソース構成情報が、前記第1の探索空間が配置される制御リソースセットにより占有されるリソースに関する情報、前記制御リソースセットの識別子、および第1のオフセット値のうちの少なくとも1つを含み、前記第1のオフセット値が、前記制御リソースセットの前記識別子に基づいて判定される、ステップを含む、請求項3に記載の方法。
【請求項６】
少なくとも2つのダウンリンク制御チャネルの探索空間を判定するように構成される判定モジュールであって、
前記判定モジュールが、前記探索空間において、前記少なくとも2つのダウンリンク制御チャネルにより占有されるリソースを別々に判定し、前記少なくとも2つのダウンリンク制御チャネルによりスケジューリングされるリソースが1つのキャリアに属する、ようにさらに構成される、判定モジュールと、
前記リソースを使用することにより前記少なくとも2つのダウンリンク制御チャネルを取得するように構成される通信モジュールと、
を備える、ネットワークデバイス。
【請求項７】
前記少なくとも2つのダウンリンク制御チャネルの前記探索空間が同じであり、前記少なくとも2つのダウンリンク制御チャネルの前記探索空間を判定するときに、前記判定モジュールが、
第1のパラメータに基づいて前記少なくとも2つのダウンリンク制御チャネルの前記探索空間を判定し、前記第1のパラメータが、制御チャネル要素CCEの数、第1の時間要素の識別子、およびダウンリンク制御チャネルの候補位置のうちの少なくとも1つを含み、
前記少なくとも2つのダウンリンク制御チャネルの前記探索空間のCCEの数が同じである、または
前記少なくとも2つのダウンリンク制御チャネルの第1の時間要素の識別子が、前記少なくとも2つのダウンリンク制御チャネルにより占有される前記リソースのサブキャリア間隔に基づいて判定される、または
前記少なくとも2つのダウンリンク制御チャネルの第1の時間要素の識別子が、事前設定されたサブキャリア間隔に対応する時間要素のうち、前記少なくとも2つのダウンリンク制御チャネルの前記第1の時間要素に対応する時間要素の識別子に基づいて判定される、または
前記少なくとも2つのダウンリンク制御チャネルの候補位置が異なり、前記少なくとも2つのダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、ように特に構成される、請求項6に記載のネットワークデバイス。
【請求項８】
前記少なくとも2つのダウンリンク制御チャネルの前記探索空間が異なり、前記少なくとも2つのダウンリンク制御チャネルの前記探索空間を判定するときに、前記判定モジュールが、
前記少なくとも2つのダウンリンク制御チャネルの前記探索空間により占有されるリソースを別々に判定し、前記少なくとも2つのダウンリンク制御チャネルの前記探索空間により占有される前記リソースが異なり、前記リソースが周波数領域リソースまたは時間領域リソースを含み、
前記リソースに基づいて前記少なくとも2つのダウンリンク制御チャネルの前記探索空間を別々に判定する、ように特に構成される、請求項6に記載のネットワークデバイス。
【請求項９】
前記少なくとも2つのダウンリンク制御チャネルの前記探索空間により占有される前記リソースを別々に判定するときに、前記判定モジュールが、
第1のリソース構成情報を判定し、前記第1のリソース構成情報に基づいて、前記少なくとも2つのダウンリンク制御チャネルの前記探索空間により占有される前記リソースを判定し、
前記第1のリソース構成情報が、前記少なくとも2つのダウンリンク制御チャネルの前記探索空間が配置される制御リソースセットにより占有されるリソースに関する情報を含み、前記少なくとも2つのダウンリンク制御チャネルに対応する前記探索空間の数が、制御リソースセットの数と同じである、ように特に構成される、請求項8に記載のネットワークデバイス。
【請求項１０】
前記少なくとも2つのダウンリンク制御チャネルの前記探索空間により占有される前記リソースを別々に判定するときに、前記判定モジュールが、
第2のリソース構成情報を判定し、前記第2のリソース構成情報に基づいて、前記少なくとも2つのダウンリンク制御チャネルの前記探索空間により占有される前記リソースを判定し、
前記第2のリソース構成情報が、前記少なくとも2つのダウンリンク制御チャネルの前記探索空間が配置される少なくとも2つの制御リソースセットにより占有されるリソースに関する情報、前記少なくとも2つの制御リソースセットの識別子、および第1のオフセット値のうちの少なくとも1つを含み、前記第1のオフセット値が、前記少なくとも2つの制御リソースセットの前記識別子に基づいて判定され、前記少なくとも2つの制御リソースセットにより占有される前記リソースが重なる、ように特に構成される、請求項8に記載のネットワークデバイス。
【請求項１１】
第1の探索空間において、第1のダウンリンク制御チャネルにより占有される第1のリソースを判定するように構成される第1の判定モジュールと、
第2の探索空間において、第2のダウンリンク制御チャネルにより占有される第2のリソースを判定するように構成される第2の判定モジュールであって、前記第1のダウンリンク制御チャネルによりスケジューリングされるリソースと前記第2のダウンリンク制御チャネルによりスケジューリングされるリソースとが1つのキャリアに属する、第2の判定モジュールと、
前記第1のリソースを使用することにより前記第1のダウンリンク制御チャネルを別のネットワークデバイスに送信するように構成される第1の通信モジュールと、
前記第2のリソースを使用することにより前記第2のダウンリンク制御チャネルを前記別のネットワークデバイスに送信するように構成される第2の通信モジュールと、
を備える、ネットワークデバイス。
【請求項１２】
前記第1の探索空間が前記第2の探索空間と同じであり、
前記第1の判定モジュールが、第1のパラメータに基づいて前記第1の探索空間を判定するようにさらに構成され、
前記第2の判定モジュールが、前記第1のパラメータに基づいて前記第1の探索空間を判定し、前記第1のパラメータが、制御チャネル要素CCEの数、第1の時間要素の識別子、およびダウンリンク制御チャネルの候補位置のうちの少なくとも1つを含む、ようにさらに構成され、
前記第1の判定モジュールによって判定された前記第1のパラメータに含まれるCCEの数が、前記第2の判定モジュールによって判定された前記第1のパラメータに含まれるCCEの数と同じである、または
前記第1のダウンリンク制御チャネルの第1の時間要素の識別子もしくは前記第2のダウンリンク制御チャネルの第1の時間要素の識別子が、前記第1のリソースのサブキャリア間隔および前記第2のリソースのサブキャリア間隔に基づいて判定される、または
前記第1のダウンリンク制御チャネルの第1の時間要素の識別子が、事前設定されたサブキャリア間隔に対応する時間要素のうち、前記第1のダウンリンク制御チャネルの前記第1の時間要素に対応する時間要素の識別子に基づいて判定され、前記第2のダウンリンク制御チャネルの第1の時間要素の識別子が、前記事前設定されたサブキャリア間隔に対応する前記時間要素のうち、前記第2のダウンリンク制御チャネルの前記第1の時間要素に対応する時間要素の識別子に基づいて判定される、または
前記第1のダウンリンク制御チャネルの候補位置が、前記第2のダウンリンク制御チャネルの候補位置とは異なり、前記第1のダウンリンク制御チャネルの前記候補位置もしくは前記第2のダウンリンク制御チャネルの前記候補位置が、第2のパラメータに基づいて判定され、前記第2のパラメータが、デバイス種別、デバイス識別子、およびアグリゲーションレベルのうちの少なくとも1つを含む、請求項11に記載のネットワークデバイス。
【請求項１３】
前記第1の探索空間が前記第2の探索空間とは異なり、
前記第1の判定モジュールが、前記第1の探索空間により占有される第3のリソースを判定し、前記第3のリソースに基づいて前記第1の探索空間を判定し、前記第3のリソースが周波数領域リソースまたは時間領域リソースを含む、ようにさらに構成される、請求項11に記載のネットワークデバイス。
【請求項１４】
前記第3のリソースに基づいて前記第1の探索空間を判定するときに、前記第1の判定モジュールが、
第1のリソース構成情報を判定し、前記第1のリソース構成情報に基づいて前記第1の探索空間を判定し、前記第1のリソース構成情報が、前記第1の探索空間が配置される制御リソースセットにより占有されるリソースに関する情報を含む、ように特に構成される、請求項13に記載のネットワークデバイス。
【請求項１５】
前記第3のリソースに基づいて前記第1の探索空間を判定するときに、前記第1の判定モジュールが、
第2のリソース構成情報を判定し、前記第2のリソース構成情報に基づいて前記第1の探索空間を判定し、前記第2のリソース構成情報が、前記第1の探索空間が配置される制御リソースセットにより占有されるリソースに関する情報、前記制御リソースセットの識別子、および第1のオフセット値のうちの少なくとも1つを含み、前記第1のオフセット値が、前記制御リソースセットの前記識別子に基づいて判定される、ように特に構成される、請求項13に記載のネットワークデバイス。
【国際調査報告】
2020511904.tif 000032
2020511904.tif 000033
2020511904.tif 000034
2020511904.tif 000035
2020511904.tif 000036
2020511904.tif 000037
2020511904.tif 000038